(57)【要約】  この発明は、各種体型の着用者にフィットさせることのできるスタイルの背広原型に関する。従来の背広仕立てにおいては、着用者の肩の傾斜や肩長さや背中の前傾、反身等のように最も体型にフィットするために必要な部位の計測を考慮するものではなかった。【解決手段】背中部分の背中心線から胸囲の長さの１／２に０．１７７±０．００５を乗じた長さだけ前方へ移動し、更に移動した点から移動長さの約１／４の長さだけ上方に垂直に移動して特定した点を左右肩後基点とし、前身頃前端縁から袖孔部の前端縁に至る長さの0.56±0.05倍の位置の垂直線と、左右肩前後基点からの絶対水平線との交点によって特定した点を左右肩前後基点し、左右肩前後基点から一定の調整角度をもって袖孔の切欠前後端部と結んだ線を左右の前後肩稜線とし、前後肩稜線をそれぞれ接合縫製することにより構成したことを特徴とする背広原型。
2013190686.tif 000002
【特許請求の範囲】
【請求項１】
上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を仮の左右肩後基点とし、前身頃前端縁から袖孔部の前端縁に至る長さの約０．５〜０．６倍の位置の垂直線と、左右肩後基点からの絶対水平線との交点によって特定した点を左右肩前基点し、後身頃の背中の背基点と左右肩前後基点との間の湾曲状の首筋ラインの長さによって、左右肩前後基点から着用者の身体の背側を通る地上面までの長さと、胸側を通る地上面までの長さをそれぞれ修正して、正しい左右肩前後基点の位置を修正特定し、修正した左右肩前基点から一定の調整角度をもって袖孔の切欠前端部と結んだ線を左右の前肩稜線とし、修正した左右肩後基点からそれぞれの肩の傾斜角度をもって袖孔の切欠後端部と結んだ線を左右の後肩稜線とし、前肩稜線と後肩稜線とを接合縫製することにより構成したことを特徴とする背広原型を提供するものである。
【請求項２】
請求項１において、左右肩後基点を特定する際に背中心線から、胸囲の長さに対して適用する修正公式とは、胸囲の長さの約１／２に（０．１５〜０．２０）を乗じることを特徴とする背広原型。
【請求項３】
請求項１において、首回りの長さを特定する際に背中心線から、首周りの長さに対して適用する修正公式とは、首周りの長さに（１０〜１５）を加算し、その合計を（５〜７）で除することを特徴とする背広原型。
【発明の詳細な説明】
【技術分野】
【０００１】
本発明は、背広原型に関する。
【背景技術】
【０００２】
従来、洋服の上着の仕立てについては、縫製用のパーツの裁断に工夫をこらして仕立てた洋服（上着）の着用が行いやすいようにしたり、着用状態での運動が行いやすいように工夫されている。【０００３】
例えば、特許第４７７９０８５号発明では、衿部・左右袖部を一体的に裁断して形成した上パターンと、前身頃及び後身頃を一体的に裁断して形成した下パターンを基本として各パターンの衿部の接合ラインと左前身頃の接合ラインとを適当に接合して衣服を形成することにより、衣服の軽量化をはかり、かつ、着用者の動作を限定せず、動きやすく、かつ、作業性、安全性に優れた着心地のよい衣服を提供できるようにしている。【０００４】
また、特許第４５３７５５３号発明では、前身頃と後身頃の上部に連接する腕部材を前腕部材、後腕部材、下腕部材に分けて袖を少なくとも３枚の部材で作り、各腕部材の形状を一定方向に湾曲したり、前身頃と後身頃に取付けられる側縁部とを鋭角に交差した状態として鋭角の交差部分が襠部となって縫製状態で運動に必要なゆとりを形成している。
このように裁断することによって袖部分を肘を軽く曲げて腕を斜め下前方に出した状態の曲線に近い立体形状を形成し、腕の前後左右の運動に対して着用感が良好な上着としている。
【先行技術文献】
【特許文献】
【０００５】
【特許文献１】特許第４７７９０８５号公報
【特許文献２】特許第４５３７５５３号公報
【発明の概要】
【発明が解決しようとする課題】
【０００６】
ところが、かかる縫製パターンや袖部分の分解パターンによる上着の縫製では、確かに着心地や、運動のしやすさにおいては優れているものの、背広やジャケット等の上着に関して最も重要視されるスタイルの点で難点を有している。
すなわち、着用状態での着用者の体型的諸条件、例えば身長や、背の前後傾（猫背、反り身）や、左右の肩の上下バランス等の諸条件に合致し、着用者の体型的特徴にフィットする背広を縫製することができない。【０００７】
また、一般の背広では、背広本体を背中部分の背中心線から左右に分けて形成した左半身パーツと右半身パーツを背中部分で縫い合わせて背広をつくるものである。そして、各半身パーツは前身頃と後見頃を組合わせて構成される。その際に、両肩幅間の長さや、丈の長さや、バストの長さや、ウエストの長さや、袖の長さ等を計測して標準的な着用者の体型に可及的に合致するような既製の左右半身パーツをつくり、或いは、複数に分類した体型毎の標準型背広のための左右半身パーツを製作し、或いは、特定の人からの注文により計測した数値を基にして特定着用者の体型に合致した仕立て仕用の左右半身パーツをつくり、これらの左右半身パーツを基にして背広を製作している。【０００８】
しかし、このような背広の製作において計測する上半身の部位は、背丈やバストラインや肩幅や袖長さ等のように伝統的に古来より特定された部位に限定されていた。【０００９】
このように、従来の背広仕立てにおいては、着用者の肩の傾斜や肩長さや背中の前傾、反身等のように最も体型にフィットするために必要な身体部位の計測を考慮するものではなく、かつ、かかる必須部位の計測結果と他の部位の計測結果との相関関係を考慮してパターンの裁断を行う技術もなかった。【００１０】
そのため、着用者の種々の体型に最もフィットするような計測を行い、それをもとにしてパターンの裁断を行って背広を簡便に製作する技術が求められていた。【００１１】
例えば、旧来の背広仕立の計測において、仮に着用者の体型の計測部位を増加させて細部にわたる計測を行ったとしても、その計測結果を左右半身パーツの各部位の裁断に実現するためには、もっとも体型にフィットする各計測間の相関関係が必要であり、かかる一定の相関関係考慮することなく単に計測の数値だけをもとにしてパターンの裁断を行ったとしても適確な背広原型は出来上がらない。【００１２】
この発明では、着用者の体型の計測部位を肩線の基点とそれからの傾斜のように特定の部位に限定し、この特定の部位からの体前後における地上高を計測し、その計測値を基にして着用者の種々の体型、特に人によってそれぞれ異なる反身、屈身や肩線の角度、長さ等を背広の縫製に反映させることによって、左右半身パーツを簡便に製作でき、各種体型の着用者にフィットさせることのできるスタイルの背広原型を提供するものである。
【課題を解決するための手段】
【００１３】
この発明は、上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を仮の左右肩後基点とし、前身頃前端縁から袖孔部の前端縁に至る長さの約０．５〜０．６倍の位置の垂直線と、左右肩後基点からの絶対水平線との交点によって特定した点を左右肩前基点し、後身頃の背中の背基点と左右肩前後基点との間の湾曲状の首筋ラインの長さによって、仮の左右肩前後基点から着用者の身体の背側を通る地上面までの長さと、胸側を通る地上面までの長さをそれぞれ修正することにより、正しい左右肩前後基点の位置を修正特定し、修正した正しい左右肩前基点から一定の調整角度をもって袖孔の切欠前端部と結んだ線を左右の前肩稜線とし、修正した正しい左右肩後基点からそれぞれの肩の傾斜角度をもって袖孔の切欠後端部と結んだ線を左右の後肩稜線とし、前肩稜線と後肩稜線とを接合縫製することにより構成したことを特徴とする背広原型を提供するものである。
また、左右肩後基点を特定する際に背中心線から、胸囲の長さに対して適用する修正公式とは、胸囲の長さの約１／２に（０．１５〜０．２０）を乗じることを特徴とする背広原型を提供するものである。
また、首回りの長さを特定する際に背中心線から、首周りの長さに対して適用する修正公式とは、首周りの長さに（１０〜１５）を加算し、その合計を（５〜７）で除することを特徴とする背広原型を提供するものである。【００１４】
以上のように本発明の基本的考え方は、着用者の客観的数値となる胸囲あるいは首周りの長さを測定してそれに修正公式を適用し、背広原型の基となる型紙上に、客観的な背基点から一定の距離と場所に仮の左右肩前後基点を設定する。この仮の基点の位置に、首筋ラインの長さと、仮の基点から身体前後面を通過した地上面までの距離との要素に、更に肩の傾斜角度を加味することにより型紙上における仮の左右肩前後基点の位置を正しい位置に修正し、型紙上に正しい左右肩前後基点を設定し直す。この正しい左右肩前後基点をすべての寸法の原点として背広原型に必要な型紙の各点を設定していくことを基本的な考え方としている。
すなわち、背広原型を作成する際に、実際の着用者の首筋ライン測定値や仮の左右肩前後基点から身体前後面を通過した地上面までの距離や肩の傾斜角度等の要素を用いることを特徴としており、かかる手法により、着用者の身体的体格がいかに異なっても、常に背基点を中心として左右が「やじろべえ」の均衡した姿勢となり、着心地の最良な背広原型を提供できる。
【発明の効果】
【００１５】
この発明によれば、通常の背広を作成するために必要とされる背広原型において、両肩部分に仮想の左右肩前後基点を一定の手法により特定し、この基点を中心に肩傾斜や襟までの長さなどの背広に必要な各種寸法を算出し、背広原型、いわゆる型紙を作成するものであり、具体的には、仮の左肩後基点の位置を、着用者の胸囲或は首回りの長さに一定の修正公式を適用することにより特定し、次いで、着用者の本来の背中心線上端とすべき背基点と仮の左肩後基点との間の湾曲状の首筋ラインの長さによって、仮の左肩後基点から地上面までの胸側及び背中側を通る長さを増減修正することにより、正しい左肩後基点を特定し、この正しい左肩後基点から正しい左肩前基点を特定し、なで肩やいかり型、猫背や反身などの着用者に固有の体型にフィットする服を制作することができると共に、かかる計測や背広の原型を表す型紙の制作も容易となり、人それぞれの体型に的確にフィットした背広原型の制作を高度の熟練を必要とすることなく遂行出来る効果がある。【００１６】
かかる背広原型で制作した背広衣服は着用者に体型に的確にフィットし、しかも活動しやすい肩となっているため、着用時に首後部近辺や肩の前後に不要な皺を生起することなく左右腕の動きになじんでスマートな背広の着用姿勢を提供することができる効果がある。
特に、首筋ラインに沿った背基点からの長さを基準にして仮想の左右肩前後基点を仮に特定し、その後地上面からの長さを測定してこの測定値を修正しながら正しい左右肩前後基点を特定し、この正しい左右肩前後基点を背広原型に必要な各種寸法の基準点としたため、背広の左右肩が背基点を中心として「やじろべえ」の原理を用いたバランスのとれた形態となり着用者のいかなる体型にもフィットすることができる効果がある。
【図面の簡単な説明】
【００１７】
【図１】本発明の背広原型の左半身パーツを示す展開図。
【図２】本発明の背広原型の右半身パーツを示す展開図。
【図３】本発明の背広原型の縫製後の立体的な側面図。
【図４】本発明の背広原型の縫製後の立体的な斜視図。
【図５】本発明の背広原型により制作した背広衣服の斜視図。
【図６】本発明の背広原型における左肩後基点の周辺を示す一部拡大図。
【図７】本発明の背広原型における左肩後基点の周辺を示す一部拡大図。
【図８】着用者の仮の左肩前後基点Ｎ，Ｍと地上面ＧＬとの長さの測定状態を示す説明図。
【図９】基点設定メジャーの説明図。
【図１０】高さ測定メジャーの説明図。
【図１１】着用者の首にループ状の基点設定メジャーを吊下した説明図。
【発明を実施するための形態】
【００１８】
上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、
着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を仮の左右肩後基点とし、
前身頃前端縁から袖孔部の前端縁に至る長さの約０．５〜０．６倍の位置の垂直線と、左右肩後基点からの絶対水平線との交点によって特定した点を左右肩前基点し、
後身頃の背中の背基点と、左右肩後基点との間の湾曲状の首筋ラインの長さによって、仮の左右肩前後基点から、着用者の身体の背側を通る地上面までの長さを胸側を通る地上面までの長さをそれぞれ修正することにより、正しい左右肩前後基点の位置を修正特定し、修正した正しい左右肩前基点から一定の調整角度をもって袖孔の切欠前端部と結んだ線を左右の前肩稜線とし、修正した左右肩後基点からそれぞれの肩の傾斜角度をもって袖孔の切欠後端部と結んだ線を左右の後肩稜線とし、
前肩稜線と後肩稜線とを接合縫製することにより構成したことを特徴とする背広原型とすることにより背広原型Ａを制作し、その後に必要な各種パーツや裏生地などを付加して上着本体１００製作を完了するものである。
また、左右肩後基点を特定する際に背中心線から、胸囲の長さの１／２に適用する修正公式とは、胸囲の長さに（０．１５〜０．２０）を乗じることを特徴とする。
また、首回りの長さを特定する際に背中心線から、首周りの長さに適用する修正公式とは、首周りの長さに（１０〜１５）を加算し、その合計を（５〜７）で除することを特徴とする。
【実施例１】
【００１９】
本発明の背広原型Ｘは図１及び図２に示すように、基本的には、上着本体１００を背中における着用者の本来の背中心線１０１´より左右に分けて形成した左半身パーツ１及び右半身パーツ２と、左右半身パーツ１，２の中央上部に上方を一部切欠して形成した略楕円形状の袖孔部３と、左半身パーツ１の前身頃前端縁部４を折り曲げ形成した衿部５と、袖孔部３の前方の胸幅部ｂ３と、袖孔部３の下方の脇幅部ｂ２と、袖孔部３の後方の背幅部ｂ１とにより構成し、袖孔部３の切欠端部Ｓ同志および各左右半身パーツ１，２の背中心線１０１同志をそれぞれ接合縫製することにより形成している。【００２０】
そして、特にかかる左右半身パーツ１，２の肩の部分にそれぞれ左右肩前基点Ｎと左右肩後基点Ｍを特定すると共に、左右肩前基点Ｎから肩の傾斜角度θをもって袖孔部３の切欠前端部３５と結んだ線を前肩稜線６とし、左右肩後基点Ｍから肩の傾斜角度θ´をもって袖孔部３の切欠後端部３６と結んだ線を後肩稜線７とする。【００２１】
そして、背広原型Ｘを作成するに際しては前肩稜線６と後肩稜線７とを接合縫製することにより立体的な背広原型Ｘ（図４に示す）が完成する。【００２２】
なお、左右半身パーツ１は基本的に前身頃イと後身頃ロとにより構成されており、図１に示す左半身パーツ１によって説明すると、袖孔部３の後縁部を境にして、その前方を前身頃とし、その後方を後身頃とし、実際の裁断時には前後身頃イ、ロはそれぞれ別々に裁断してその後所定線で縫合して一体とする。【００２３】
前身頃イと後身頃ロとの縫合線としては、「前肩稜線６と後肩稜線７」及び「縫い代ｙ４」であり、これらの縫合により、前後身頃イ、ロが一体となり、左半身パーツ１が形成される。【００２４】
以下は、本発明背広原型Ｘの構成中の左半身パーツ１に関して背広原型Ｘとしての型紙Ｕを作成する場合を説明する。 【００２５】
（１）左肩後基点Ｍの仮特定
左肩後基点Ｍは、背中部分の背中心線１０１上端に位置する点を背上端Ｏとし、胸囲の長さの１／２Ｐに（０．１７７±０．００５）を乗じ更に０．１を乗じた長さだけ外方に移動した点を背基点Ｏ´とする。背基点Ｏ´から胸囲の長さの１／２Ｐに（０．１７７±０．００５）を乗じた長さＬ１だけ前方へ移動し、更に移動点ｍから移動長さの約１／４の長さＬ２だけ上方に垂直に移動して特定した点である。
なお、仮の型紙Ｕにおいて、仮の左肩前基点Ｍを特定する計測方法を説明したが、このように着用者の胸囲の長さＰを基準とする以外にも着用者の首回りの長さＰＰを基準にする方法もある。
すなわち、首回りの長さＰＰに「１３」を加算し、その合計を６で除した数字をＬ１とし、Ｌ１のｍ点からＬ１の４分の１の長さＬ２だけ上方に垂直に移動して、特定した点を仮の左肩後基点Ｍとすることもできる。
すなわち、Ｌ１＝（ＰＰ＋１３）÷６、Ｌ２＝Ｌ１×１／４とする。【００２６】
仮の左肩前基点Ｎは、前身頃前端縁部４から袖孔部３の前端縁の脇幅点Ｄに至る長さＬ３（Ｆ〜Ｄ）の（０．５６±０．０５）倍の位置の垂直点ｇの垂直線Ｇと、左右肩後基点Ｍからの絶対水平線ｖとの交点によって特定した点である。【００２７】
しかも、左肩前基点Ｎから一定の調整角度、すなわち肩の傾斜角度θをもって袖孔部３の切欠前端部と結んだ線を左の前肩稜線６とし、左肩後基点Ｍから一定の調整角度、すなわち肩の傾斜角度θ´をもって袖孔部３の切欠後端部と結んだ線を左右の後肩稜線７としている。【００２８】
ここで、左肩前基点Ｎから一定の傾斜角度θの前肩稜線６と左肩後基点Ｍから一定の傾斜角度θ´の後肩稜線７は通常の標準角度では２３度の調整角度とするが、実際は着用者の肩の線を分度器等の測定器で計測することにより決定する。 【００２９】
（２）バストラインＢ、ウエストラインＷ，ヒップラインＨ、裾ラインＪについて
左半身パーツ１は、上端縁から一定の距離にバストラインＢ、ウエストラインＷ、ヒップラインＨ及び裾ラインＪを形成している。【００３０】
バストラインＢは、着用者の本来の背中心線１０１´の背基点Ｏ´から、胸囲の長さの１／２Ｐに約０．４５を乗じた長さだけ下方に位置したバスト点Ｃからの横線にゆとりとして示している（Ｏ´〜Ｃ＝Ｐ×０．４５）。
ここで胸囲の長さの１／２Ｐは、実際の測定した胸囲の１／２Ｐ´に（６ｃｍ±２）ｃｍを加算した数値である（Ｐ＝Ｐ´ｃｍ±（６ｃｍ±２））。
なお、Ｏ´〜Ｃの縦長さを背丈Ｋとする。【００３１】
実際には、Ｏ´〜Ｃの背丈Ｋの線に横幅のゆとりｙ１を設けるため、胸囲の長さの１／２Ｐに約０．１５と約０．１を乗じた地点に背基点Ｏ´を背中心線１０１から拡幅している（Ｏ〜Ｏ´＝Ｐ×０．１５×０．１）。【００３２】
同様にバストラインＢのバスト点Ｃからも２ｃｍのゆとりｙ２を形成している。
バストラインＢのバスト点Ｃからゆとりｙ１をとったＣ´（バストゆとり点）から、胸囲の長さの１／２Ｐに約０．３８を乗じた長さの地点、すなわち袖孔部３の後端縁に至る点を背幅点Ｅとする（Ｃ´〜Ｅ＝Ｐ×約０．３８）。【００３３】
なお、Ｃ´〜Ｅの横幅を背幅部ｂ１とする。
バストラインＢにおける袖孔部３の後端縁位置の背幅点Ｅから胸囲の長さの１／２Ｐに約０．２５を乗じた長さの点、すなわち袖孔部３の前端縁に至る点を脇幅点Ｄとし、Ｄ〜Ｅの横幅を脇幅部ｂ２とする。【００３４】
なお、Ｅ〜Ｄには、前身頃と後身頃との接合部分の縫い代ｙ４の幅員（５ｍｍ）及び前身頃の袖孔部３下方の脇ダーツｙ３の幅員（１５ｍｍ）を含む（Ｅ〜Ｄ＝Ｐ×０．２５＋２０ｍｍ）。【００３５】
背上着本体１００の前身頃イの前端縁のボタン位置をボタン点Ｆとし、胸囲の長さの１／２Ｐに約０．３７を乗じた長さがＤ〜Ｆの横幅となり、これを胸幅部ｂ３とする（Ｄ〜Ｆ＝Ｐ×約０．３７）。
バストラインＢにおいて、Ｄ〜Ｆの中間でＤ〜Ｆの長さに約０．５６を乗じた長さの点を垂直点ｇとし、垂直点ｇの垂直線Ｇ上端が左肩前基点Ｎとなる。【００３６】
ウエストラインＷは、バストラインＢとヒップラインＨとの中間点、すなわち、（Ｂ〜Ｈ）×１／２のウエスト点Ｉの横線である。ヒップラインＨは、着丈、すなわち背基点Ｏ´から裾ラインＪまでの長さに約０．１８４を乗じた長さのヒップＱ点における横線である。【００３７】
なお、図中、ｙ５は、衿下方のゆとりを示す前ダーツである。
また、Ｒは、胸ポケットを示す。
５´は、衿部５の上端部に連設して縫合した首衿部であり、前後肩稜線６，７以外の背幅部ｂ１の上端部（５″）に連設縫合される。【００３８】
また、裾ラインＪは、前身頃の裾ラインＪ１を約１．５ｃｍ前下りとし、着用時に裾ラインＪが全体的に水平に見えて背広全体の見栄えを良好とする。
左右半身パーツ１，２を縫合して背広原型Ｘを製作する場合、好みで着用者の体形にピッタリとフィットするように構成するか、ゆったりと構成するかは、胸囲の長さＰの数値で調整する。【００３９】
すなわち、上記実施例では、Ｐ＝Ｐ´＋（６±２）として説明したが、（Ｐ＝Ｐ´＋４）から（Ｐ＝Ｐ´＋９）の範囲で調整することができ、Ｐがこのように調整されると、Ｐに関係するＯ〜Ｃ、Ｏ〜Ｏ´、Ｃ´〜Ｅ、Ｅ〜Ｄ、Ｄ〜Ｆ、Ｍ、Ｎの数値や位置が変化していく。【００４０】
以上、詳説したのは左半身パーツ１の各ラインに関するものであるが、右半身パーツ２についても全く同様であり、略左右対称に形成される（図２参照）。 【００４１】
（３）背基点Ｏ´の特定
背基点Ｏ´の位置は人体の骨格に対応させると、第７頚椎と第１胸椎の境の中央部分の点を背上端Ｏの位置とする。【００４２】
この背基点Ｏ´を上記の人体骨格点に対応させ、この点を中心に肩の角度を測定し、実施例の左右肩後基点Ｍ，Ｍ、左右肩前基点Ｎ，Ｎを決定して左右半身パーツ１，２をつくることにより、着用者が背広を着用して最も負担を感じない人それぞれの体型にフィットした背広原型ができるものである。【００４３】
なお、第７頚椎とは、７個の椎骨のうちの１つであり、触感で後へ突出した長い棘突起により確認することができ、別称で隆椎とも言われている。この棘突起の下方に更に第１胸椎の棘突起が存在する。【００４４】
頚部の動きによって上の棘突起（第７頚椎）は動くが、下の棘突起（第１胸椎）は不動である。【００４５】
このように頚部の動きを行うことにより動く棘突起と動かない棘突起とを指で確認して、第７頚椎の位置と第１胸椎の位置を人体外部より特定することができる。
ここで、背中心線１０１の上端の背上端Ｏを用いるのではなく、着用者の本来の背中心線１０１´の背基点Ｏ´をすべての寸法の基点としたのは着用者が背広を着用した場合に、背中部分は左右湾曲面となっているため、湾曲面形成のためのゆとり部分を取る必要があり、そのため着用者本来の背基点Ｏ´をゆとり部分考慮の上で定めている。背上端Ｏと背基点Ｏ´との間は、Ｌ１×０．１（１／１０）の長さとする。【００４６】
（４）寸法表
実際に左半身パーツ１を作成するためにはまず、着用者の体型の寸法の測定から開始する。
図７に示すのは、測定寸法の記入用の寸法表１０であり、次のような欄が設けられている。すなわち、
測定日時欄１１、着用者の名前欄１２、反身か屈身かの区別とその寸法を記載する体型欄１３、
左右肩前基点Ｎからの肩の傾斜角度を記入する欄１４、左右肩後基点Ｍからの肩の傾斜角度を記入する欄１５、
左右肩前基点Ｎからの傾斜角度と左右肩後基点Ｍからの傾斜角度との和に１／２を乗じた平均角度を記入する欄１６、
左右肩前基点Ｎを特定するために（Ｆ〜Ｄ）の長さＬと（０．５６±０．０５）を乗じた数字を記入するＮ点寸法欄１７、
左右肩後基点Ｍを特定するために胸囲の長さＰの１／２に（０．１７７±０．００５）を乗じた数字Ｌ１およびＬ１に１／４を乗じた数字Ｌ２を記入するためのＭ点寸法欄１８、
背基点Ｏ´から胸囲の長さの１／２Ｐに０．４５を乗じた長さだけ下方に位置したＣまでの長さを記入する背丈寸法欄１９、
実際の胸囲Ｐ´にゆとりとしての余裕寸法を加算した数値を記入する胸囲寸法欄２０、
実際に測定したバストラインＢにおける胸幅部ｂ３の寸法を記入する胸幅欄２１、
バストラインＢにおける脇幅部ｂ２の寸法を記入する脇幅欄２２、
バストラインＢにおける背幅部ｂ１の寸法を記入する背幅欄２３、
ウエストラインＷにおける寸法を記入するウエスト寸法欄２４、
ウエストラインＷにおける前身頃イの幅寸法を記入するウエスト前幅欄２５、
ウエストラインＷにおける後身頃ロの幅寸法を記入するウエスト後幅欄２６、
実際に測定したヒップラインＨにおける寸法を記入するヒップ前幅欄２７、
ヒップラインＨにおける前身頃イの幅を記入するヒップ前幅欄２８、
ヒップラインＨにおける後身頃ロの幅を記入するヒップ後幅欄２９
等の各欄が寸法表１０に設けられている。【００４７】
（５）正しい左肩前後基点Ｎ，Ｍの特定
（ａ）着用者にとって最も着心地良好な背広の各種寸法の基準となる左右肩後基点Ｍと左右肩前基点Ｎを着用者の身体の測定によって設定するために、以下に説明する基点設定メジャー３０と高さ測定メジャー４０との二種類の器具を準備する。【００４８】
（ｂ）基点設定メジャー３０は、図９に示すようにループ状の紐体３１で構成し、ループ状の紐体３１を仮想二等分したループ状の紐体３１の中央位置には基点用重錘３２を介設し、紐体３１の仮想二等分した他方の点、すなわち、該重錘３２と正反対側に位置する地点を基準ポイントＫＰとしており、しかも、ループ状の紐体３１においては中央の一方の点、すなわち、基準ポイントＫＰを中心として左右にｍｍ或はｃｍ等の長さを示す表示目盛３３が表記されている。【００４９】
高さ測定メジャー４０は、図１０に示すように長尺紐体４１の一端に高さ用重錘４２を連設し、該重錘４２の底面からの長さを示すために長尺紐体４１にｍｍ或はｃｍ等の長さを示す高さ表示目盛４３を表記している。
高さ用重錘４２は、後述するように地上面から左右肩前後地点Ｎ，Ｍまでの長さを計測する際に長尺紐体４１の張力を生起し、正確な長さ寸法を取得するためのものであり、土木工事の測量に使用する落下重錘と同様の機能を果す。【００５０】
上記のように構成された基点設定メジャー３０と高さ測定メジャー４０は、図１１、図８に示すように用いられて着用者の体型にフィットする左右肩後基点Ｍと左右肩前基点Ｎの位置を定め、その左右肩後基点Ｍと左右肩前基点Ｎの正しい位置の型紙Ｕを作成することになる。【００５１】
（ｃ）まず、着用者の首にループ状の基点設定メジャー３０を吊下し、基点用重錘３２が胸元に位置する状態とする。
この状態は、ループ状の紐体３１が首から胸元にかけて配置吊下された状態であり、いわば背広の衿の左右ラインをループ状の紐体３１の左右ライン３４，３４がなぞったＶ字形の紐体３１軌跡が形成されたことになる。
この状態において、紐体３１の背基点ポイントＧＰは、着用者の背基点Ｏ´の位置、すなわち骨格の第７頚椎と第１胸椎の境中央部の位置と一致している。【００５２】
（ｄ）次いで、首に吊下した紐体３１において、この背基点Ｏ´に位置した背基点ポイントＧＰから左側方（ここでは左半身パーツ１作成のため）に向かって仮の基準寸法の９ｃｍの離隔位置を着用者の体格における左右肩後基点Ｍ、左右肩前基点Ｎと仮定する（当然に左右肩後基点Ｍと左右肩前基点Ｎは、互いに一致した一点として仮に定められている）。なお、仮の基準寸法の９ｃｍは、平均的な着用者の仮の寸法である。【００５３】
そして、地上面（ＧＬ）から仮の左右肩後基点Ｍ及び仮の左右肩前基点Ｎまでの長さを高さ測定メジャー４０により測定するものであるが、地上面（ＧＬ）から左右肩後基点Ｍまでの長さαは、着用者の背中側（後側）において測定し、地上面（ＧＬ）から左右肩前基点Ｎまでの長さβは、着用者の胸面側（前側）において測定する。【００５４】
ここで、着用者が前屈姿勢の体型（いわゆる猫背型）の場合は、ＧＬ〜Ｍ＞ＧＬ〜Ｎとなる。ＧＬ〜Ｍ＝α、ＧＬ〜Ｎ＝βとすれば、αとβの差は仮の標準寸法の９ｃｍで仮定した仮の左右肩後基点Ｍ、仮の左右肩前基点Ｎの位置修正の要因として用いられることになる。【００５５】
（ｅ）そこで、着用者の左右肩後基点Ｍの仮位置を型紙Ｕ上で設定するために、段落番号〔００２３〕に記載の様に着用者の本来の背中心線１０１´の背基点Ｏ´から胸囲の長さの１／２Ｐを乗じた長さＬ１を算出し、その分だけ前方へ移動し、更に移動点ｍから移動長さの約１／４の長さＬ２だけ上方に垂直に移動し、その点を仮の左右肩後基点Ｍとする。【００５６】
すなわち、着用者の胸囲の長さの１／２Ｐを測定することにより必然的に左右肩後基点Ｍの仮位置は仮型紙上で特定されたことになり、これを基にして仮型紙上で背基点Ｏ´と左右肩後基点Ｍ間の湾曲線の首筋ラインＷＮの長さｒｃｍ（換言すれば、着用者の首に吊下した基点設定メジャー３０における基準ポイントＫＰから左側方向へ移動する正しい位置までの長さ）を算出する。この首筋ラインＷＮの長さｒｃｍの位置が着用者に対する実測による正しい左右肩後基点Ｍ及び左右肩前基点Ｎの位置である。【００５７】
ここで重要なことは、ループ状の紐体３１における仮の基準寸法９ｃｍの位置を左肩前後基点Ｎ，Ｍとしてこれを、仮の型紙Ｕにおける仮の左肩前後基点Ｎ，Ｍの位置としたことである。【００５８】
すなわち、仮の型紙Ｕにおいて、左肩後基点Ｍの位置は、段落番号００２３で説明したように、背基点Ｏ´から、実測した着用者の胸囲の長さの１／２Ｐに（０．１７７±０．００５）を乗じた長さＬ１だけ前方へ移動し、更に、移動点ｍから移動長さの約１／４の長さＬ２だけ上方に垂直に移動した点、あるいは、首周りから測定して特定した点として仮決定している。この背基点Ｏ´と左肩後基点Ｍとの間を結んだ曲線を首筋ラインＷＮとした場合、この湾曲線の首筋ラインＷＮは、首に吊下した基点設定メジャー３０の紐体３１の襟ラインと一致した形状となるため、とりあえず、背基点Ｏ´から首筋ラインＷＮの仮の基準寸法９ｃｍの位置を着用者の左肩における仮の左肩後基点Ｍの位置とすることにした。【００５９】
他方、型紙Ｕにおける首筋ラインＷＮの長さｒｃｍは、着用者の胸囲実測から上記の計算（段落番号〔００２３〕の計算）により導いた客観的な長さであり、従ってこの湾曲長さｒｃｍがループ状の紐体３１における背基点Ｏ´からの本来の正しい左肩後基点Ｍに至る長さであると言える。【００６０】
しかし、当初の仮の左肩後基点Ｍは、紐体３１の仮の基準寸法９ｃｍの位置としているために着用者の本来の正しい左肩後基点Ｍの位置とはなっていない。【００６１】
そこで、型紙Ｕ上で本来の正しい左肩後基点Ｍの位置を決定するために、仮の左肩後基点Ｍの位置で地上面（ＧＬ）から着用者の背中側と胸面側で長さを測定し、その差（αとβとの差）を求め、このαとβの差を仮の左肩前基点Ｍの位置修正に加味する。【００６２】
すなわち、仮の基準寸法９ｃｍと首筋ラインＷＮの長さとの差（ＬＸ）、仮に首筋ラインＷＮの長さが８．５ｃｍであるとすると９ｃｍ−８．５ｃｍ＝０．５ｃｍを出す。【００６３】
そしてこの０．５cmの差（ＬＸ）を仮の左肩後基点Ｍの位置で測定したα,βの増減要因として用いる。【００６４】
αは、背中側の測定値であるから屈身の着用者の場合は、αに０．５ｃｍのＬＸを加算し、βから０．５ｃｍのＬＸを減算し、その結果、（α−β）が本来の着用者の実寸を基にした左肩前後基点Ｍ、左肩前基点Ｎの正しい位置が決定できる。【００６５】
従って、型紙Ｕでは、仮の左肩後基点Ｍの地上高（α）に修正を加えてその分だけ後身頃の上部が上方に伸長した形状或は体型により下方に短縮した形状となり、これと同様に仮の左肩前基点Ｎの地上高（α）に修正を加えて、修正分だけ前身頃イの上部が上下方に伸縮した形状となる。そこではじめて、正しい左肩前後基点Ｎ，Ｍが特定されたことになる。【００６６】
正しい左肩後基点Ｍが特定されれば、左肩前基点Ｎの位置特定は段落番号〔００２４〕に説明したように、前身頃前端縁部４から袖孔部３の前端縁の脇幅点Ｄに至る長さＬ３（Ｆ〜Ｄ）の（０．５６±０．０５）位の位置の垂直点ｇの垂直線Ｇと、すでに一特定が行われた左肩後基点Ｍからの絶対水平線ｖとの交点によって特定される。【００６７】
（６）正しい左肩前後基点Ｎ，Ｍのほかの特定方法
以上、実測による数値を基にした左肩前後基点Ｎ，Ｍの正しい位置決定の手順を説明したが、簡略化した他の方法もある。
すなわち、段落番号〔００２３〕で説明したように型紙Ｕにおいて、胸囲の実測により左肩後基点Ｍの仮位置が特定されているので、背基点Ｏ´と左肩後基点Ｍとを結ぶ湾曲の首筋ラインＷＮの長さｒｃｍも特定される。首筋ラインＷＮの長さｒｃｍを客観的に決定したら、次いで基点設定メジャー３０を首に吊下し、基準ポイントＫＰから左側の首筋ラインＷＮの長さｒｃｍの位置をとれば、これが必然的に着用者の身体における正しい左肩後基点Ｍ（Ｎ）の位置となる。【００６８】
この正しい左肩後基点Ｍの位置を型紙Ｕに反映するためには、高さ測定メジャー４０により、地上面（ＧＬ）からの背中側及び胸面側の長さを計測して、α,βを出す。
次いで、図１に示すように型紙Ｕにおいては、背基点Ｏ´からの湾曲状の首筋ラインＷＮの縮尺長さの軌跡ｔ１と、地上面（ＧＬ）から左肩後基点Ｍまでの実測の縮尺長さの軌跡ｔ２との交点を型紙Ｕにおける左肩後基点Ｍの正しい位置とする。【００６９】
この簡略化した手順は、着用者の背基点Ｏ´の位置を客観的に決定することができることから、これに発明者の長年の仕立て実績による左肩後基点Ｍの位置算出方法（段落番号〔００２３〕参照）により仮の左肩後基点Ｍを決定し、これに更に基点設定メジャー３０によって測定したα，βの数値に、着用者の本来の身体上における正しい左肩後基点Ｍの位置情報を加味して、胸囲から算出して型紙Ｕ上に表示した計算上の仮の左肩後基点Ｍの位置を修正し、型紙Ｕ上に正しい左肩後基点Ｍを特定するものである。【００７０】
（７）以上述べたのは、左半分の前身頃イと後身頃ロに関する正しい左肩前後基点Ｎ，Ｍの位置決定手順に関するものであるが、同様にして右半分の前身頃イと後身頃ロに関しても右肩前後基点Ｎ，Ｍの正しい位置決定を行うことができる。
このように客観的な背基点Ｏ´位置を中心に左右肩前後基点Ｎ，Ｍの位置を算出してそれを基準にして最も着用者にフィットして動きやすい型紙Ｕとすることができる。【００７１】
背広全体としてみると、左右肩前後基点Ｎ，Ｍ；Ｎ，Ｍが反身、屈身、いかり肩、なで肩等各種の体型に合致した最適位置に決定されるために左右両肩部分が背基点Ｏ´を中心に左右釣り合った「やじろべえ」（スイング態様）のバランスをとることができ、外観的な見た目も、また着用者の活動に関してもスマートで無理のない背広を提供することができる。
【符号の説明】
【００７２】
１００  上着本体
１０１  背中心線
１０１´  本来の背中心線
１  左半身パーツ
２  右半身パーツ
３  袖孔部
３５  切欠前端部
３６  切欠後端部
４  前身頃前端縁部
５  衿部
６  前肩稜線
７  後肩稜線
１０  寸法表
Ｕ  型紙
ｂ１  背幅部
ｂ２  脇幅部
ｂ３  胸幅部
Ｎ，Ｎ  左右肩前基点
Ｍ，Ｍ  左右肩後基点
Ｐ  胸囲の長さの１／２
Ｏ  背上端
Ｏ´  背基点
Ａ  背広原型
ｍ  移動点
ｇ  垂直点
ｒ  湾曲長さ
ＧＬ  地上面
θ  前傾斜角度
θ´  後傾斜角度
ｖ  絶対水平線
Ｓ  切欠
３０  基点設定メジャー
３１  ループ状紐体
３２  重錘
ＫＰ  基準ポイント
３３  表示目盛
ＧＰ  背基点ポイント
４０  高さ測定メジャー
４１  長尺紐体
４２  高さ用重錘
４３  表示目盛
ＷＮ  首筋ライン
α  地上面ＧＬから左右肩後基点Ｍまでの長さ
β  地上面ＧＬから左右肩前基点Ｎまでの長さ
【図１】
2013190686.tif 000003
【図２】
2013190686.tif 000004
【図３】
2013190686.tif 000005
【図４】
2013190686.tif 000006
【図５】
2013190686.tif 000007
【図６】
2013190686.tif 000008
【図７】
2013190686.tif 000009
【図８】
2013190686.tif 000010
【図９】
2013190686.tif 000011
【図１０】
2013190686.tif 000012
【図１１】
2013190686.tif 000013
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を仮の左右肩後基点とし、前身頃前端縁から袖孔部の前端縁に至る長さの約０．５〜０．６倍の位置の垂直線と、左右肩後基点からの絶対水平線との交点によって特定した点を仮の左右肩前基点とし、後身頃の背中の背基点と左右肩前後基点との間の湾曲状の首筋ラインの長さと背基点から首筋ラインの中途に仮に設けた仮の基準点までの長さとの差によって、首筋ラインの中途に設けた仮の基準点から着用者の身体の背側を通る地上面までの長さと、胸側を通る地上面までの長さをそれぞれ修正することにより、正しい左右肩前後基点の位置を修正特定し、左右肩前基点から一定の調整角度をもって袖孔の切欠前端部と結んだ線を左右の前肩稜線とし、修正した正しい左右肩後基点からそれぞれの肩の傾斜角度をもって袖孔の切欠後端部と結んだ線を左右の後肩稜線とし、前肩稜線と後肩稜線とを接合縫製することにより構成したことを特徴とする背広原型を提供するものである。
【請求項２】
請求項１において、左右肩後基点を特定する際に背中心線から、胸囲の長さに対して適用する修正公式とは、胸囲の長さの約１／２に（０．１５〜０．２０）を乗じることを特徴とする背広原型。
【請求項３】
請求項１において、首回りの長さを特定する際に背中心線から、首周りの長さに対して適用する修正公式とは、首周りの長さに（１０〜１５）を加算し、その合計を（５〜７）で除することを特徴とする背広原型。
【手続補正２】
【補正対象書類名】明細書
【補正対象項目名】全文
【補正方法】変更
【補正の内容】
【書類名】明細書
【発明の名称】  背広原型
【技術分野】
【０００１】
本発明は、背広原型に関する。
【背景技術】
【０００２】
従来、洋服の上着の仕立てについては、縫製用のパーツの裁断に工夫をこらして仕立てた洋服（上着）の着用が行いやすいようにしたり、着用状態での運動が行いやすいように工夫されている。
【０００３】
例えば、特許第４７７９０８５号発明では、衿部・左右袖部を一体的に裁断して形成した上パターンと、前身頃及び後身頃を一体的に裁断して形成した下パターンを基本として各パターンの衿部の接合ラインと左前身頃の接合ラインとを適当に接合して衣服を形成することにより、衣服の軽量化をはかり、かつ、着用者の動作を限定せず、動きやすく、かつ、作業性、安全性に優れた着心地のよい衣服を提供できるようにしている。
【０００４】
また、特許第４５３７５５３号発明では、前身頃と後身頃の上部に連接する腕部材を前腕部材、後腕部材、下腕部材に分けて袖を少なくとも３枚の部材で作り、各腕部材の形状を一定方向に湾曲したり、前身頃と後身頃に取付けられる側縁部とを鋭角に交差した状態として鋭角の交差部分が襠部となって縫製状態で運動に必要なゆとりを形成している。
このように裁断することによって袖部分を肘を軽く曲げて腕を斜め下前方に出した状態の曲線に近い立体形状を形成し、腕の前後左右の運動に対して着用感が良好な上着としている。
【先行技術文献】
【特許文献】
【０００５】
【特許文献１】特許第４７７９０８５号公報
【特許文献２】特許第４５３７５５３号公報
【発明の概要】
【発明が解決しようとする課題】
【０００６】
ところが、かかる縫製パターンや袖部分の分解パターンによる上着の縫製では、確かに着心地や、運動のしやすさにおいては優れているものの、背広やジャケット等の上着に関して最も重要視されるスタイルの点で難点を有している。
すなわち、着用状態での着用者の体型的諸条件、例えば身長や、背の前後傾（猫背、反り身）や、左右の肩の上下バランス等の諸条件に合致し、着用者の体型的特徴にフィットする背広を縫製することができない。
【０００７】
また、一般の背広では、背広本体を背中部分の背中心線から左右に分けて形成した左半身パーツと右半身パーツを背中部分で縫い合わせて背広をつくるものである。そして、各半身パーツは前身頃と後見頃を組合わせて構成される。その際に、両肩幅間の長さや、丈の長さや、バストの長さや、ウエストの長さや、袖の長さ等を計測して標準的な着用者の体型に可及的に合致するような既製の左右半身パーツをつくり、或いは、複数に分類した体型毎の標準型背広のための左右半身パーツを製作し、或いは、特定の人からの注文により計測した数値を基にして特定着用者の体型に合致した仕立て仕用の左右半身パーツをつくり、これらの左右半身パーツを基にして背広を製作している。
【０００８】
しかし、このような背広の製作において計測する上半身の部位は、背丈やバストラインや肩幅や袖長さ等のように伝統的に古来より特定された部位に限定されていた。
【０００９】
このように、従来の背広仕立てにおいては、着用者の肩の傾斜や肩長さや背中の前傾、反身等のように最も体型にフィットするために必要な身体部位の計測を考慮するものではなく、かつ、かかる必須部位の計測結果と他の部位の計測結果との相関関係を考慮してパターンの裁断を行う技術もなかった。
【００１０】
そのため、着用者の種々の体型に最もフィットするような計測を行い、それをもとにしてパターンの裁断を行って背広を簡便に製作する技術が求められていた。
【００１１】
例えば、旧来の背広仕立の計測において、仮に着用者の体型の計測部位を増加させて細部にわたる計測を行ったとしても、その計測結果を左右半身パーツの各部位の裁断に実現するためには、もっとも体型にフィットする各計測間の相関関係が必要であり、かかる一定の相関関係考慮することなく単に計測の数値だけをもとにしてパターンの裁断を行ったとしても適確な背広原型は出来上がらない。
【００１２】
この発明では、着用者の体型の計測部位を肩線の基点とそれからの傾斜のように特定の部位に限定し、この特定の部位からの体前後における地上高を計測し、その計測値を基にして着用者の種々の体型、特に人によってそれぞれ異なる反身、屈身や肩線の角度、長さ等を背広の縫製に反映させることによって、左右半身パーツを簡便に製作でき、各種体型の着用者にフィットさせることのできるスタイルの背広原型を提供するものである。
【課題を解決するための手段】
【００１３】
この発明は、上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を仮の左右肩後基点とし、前身頃前端縁から袖孔部の前端縁に至る長さの約０．５〜０．６倍の位置の垂直線と、左右肩後基点からの絶対水平線との交点によって特定した点を仮の左右肩前基点とし、後身頃の背中の背基点と左右肩前後基点との間の湾曲状の首筋ラインの長さと背基点から首筋ラインの中途に仮に設けた仮の基準点までの長さとの差によって、首筋ラインの中途に設けた仮の基準点から着用者の身体の背側を通る地上面までの長さと、胸側を通る地上面までの長さをそれぞれ修正することにより、正しい左右肩前後基点の位置を修正特定し、左右肩前基点から一定の調整角度をもって袖孔の切欠前端部と結んだ線を左右の前肩稜線とし、修正した正しい左右肩後基点からそれぞれの肩の傾斜角度をもって袖孔の切欠後端部と結んだ線を左右の後肩稜線とし、前肩稜線と後肩稜線とを接合縫製することにより構成したことを特徴とする背広原型を提供するものである。
また、左右肩後基点を特定する際に背中心線から、胸囲の長さに対して適用する修正公式とは、胸囲の長さの約１／２に（０．１５〜０．２０）を乗じることを特徴とする背広原型を提供するものである。
また、首回りの長さを特定する際に背中心線から、首周りの長さに対して適用する修正公式とは、首周りの長さに（１０〜１５）を加算し、その合計を（５〜７）で除することを特徴とする背広原型を提供するものである。
【００１４】
以上のように本発明の基本的考え方は、着用者の客観的数値となる胸囲あるいは首周りの長さを測定してそれに修正公式を適用し、背広原型の基となる型紙上に、客観的な背基点から一定の距離と場所に仮の左右肩前後基点を設定する。この仮の基点の位置に、首筋ラインの長さと、仮の基点から身体前後面を通過した地上面までの距離との要素を加味することにより型紙上における仮の左右肩前後基点の位置を正しい位置に修正し、型紙上に正しい左右肩前後基点を設定し直す。この正しい左右肩前後基点をすべての寸法の原点として背広原型に必要な型紙の各点を設定していくことを基本的な考え方としている。
すなわち、背広原型を作成する際に、実際の着用者の首筋ライン測定値や仮の左右肩前後基点から身体前後面を通過した地上面までの距離や肩の傾斜角度等の要素を用いることを特徴としており、かかる手法により、着用者の身体的体格がいかに異なっても、常に背基点を中心として左右が「やじろべえ」の均衡した姿勢となり、着心地の最良な背広原型を提供できる。
【発明の効果】
【００１５】
この発明によれば、通常の背広を作成するために必要とされる背広原型において、両肩部分に仮想の左右肩前後基点を一定の手法により特定し、この基点を中心に肩傾斜や襟までの長さなどの背広に必要な各種寸法を算出し、背広原型、いわゆる型紙を作成するものであり、具体的には、仮の左肩後基点の位置を、着用者の胸囲或は首回りの長さに一定の修正公式を適用することにより特定し、次いで、着用者の本来の背中心線上端とすべき背基点と仮の左肩後基点との間の湾曲状の首筋ラインの長さの差によって、仮の左肩後基点から地上面までの胸側及び背中側を通る長さを増減修正することにより、正しい左肩後基点を特定し、この正しい左肩後基点から正しい左肩前基点を特定し、なで肩やいかり型、猫背や反身などの着用者に固有の体型にフィットする服を制作することができると共に、かかる計測や背広の原型を表す型紙の制作も容易となり、人それぞれの体型に的確にフィットした背広原型の制作を高度の熟練を必要とすることなく遂行出来る効果がある。
【００１６】
かかる背広原型で制作した背広衣服は着用者に体型に的確にフィットし、しかも活動しやすい肩となっているため、着用時に首後部近辺や肩の前後に不要な皺を生起することなく左右腕の動きになじんでスマートな背広の着用姿勢を提供することができる効果がある。
特に、首筋ラインに沿った背基点からの長さを基準にして仮想の左右肩前後基点を仮に特定し、その後地上面からの長さを測定してこの測定値を修正しながら正しい左右肩前後基点を特定し、この正しい左右肩前後基点を背広原型に必要な各種寸法の基準点としたため、背広の左右肩が背基点を中心として「やじろべえ」の原理を用いたバランスのとれた形態となり着用者のいかなる体型にもフィットすることができる効果がある。
【図面の簡単な説明】
【００１７】
【図１】本発明の背広原型の左半身パーツを示す展開図。
【図２】本発明の背広原型の右半身パーツを示す展開図。
【図３】本発明の背広原型の縫製後の立体的な側面図。
【図４】本発明の背広原型の縫製後の立体的な斜視図。
【図５】本発明の背広原型により制作した背広衣服の斜視図。
【図６】本発明の背広原型における左肩後基点の周辺を示す一部拡大図。
【図７】本発明の背広原型における左肩後基点の周辺を示す一部拡大図。
【図８】着用者の仮の左肩前後基点Ｎ，Ｍと地上面ＧＬとの長さの測定状態を示す説明図。
【図９】基点設定メジャーの説明図。
【図１０】高さ測定メジャーの説明図。
【図１１】着用者の首にループ状の基点設定メジャーを吊下した説明図。
【発明を実施するための形態】
【００１８】
上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、
着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を仮の左右肩後基点とし、
前身頃前端縁から袖孔部の前端縁に至る長さの約０．５〜０．６倍の位置の垂直線と、左右肩後基点からの絶対水平線との交点によって特定した点を左右肩前基点し、
後身頃の背中の背基点と、左右肩後基点との間の湾曲状の首筋ラインの長さによって、仮の左右肩前後基点から、着用者の身体の背側を通る地上面までの長さを胸側を通る地上面までの長さをそれぞれ修正することにより、正しい左右肩前後基点の位置を修正特定し、左右肩前基点から一定の調整角度をもって袖孔の切欠前端部と結んだ線を左右の前肩稜線とし、修正した左右肩後基点からそれぞれの肩の傾斜角度をもって袖孔の切欠後端部と結んだ線を左右の後肩稜線とし、
前肩稜線と後肩稜線とを接合縫製することにより構成したことを特徴とする背広原型とすることにより背広原型Ａを制作し、その後に必要な各種パーツや裏生地などを付加して上着本体１００製作を完了するものである。
また、左右肩後基点を特定する際に背中心線から、胸囲の長さの１／２に適用する修正公式とは、胸囲の長さに（０．１５〜０．２０）を乗じることを特徴とする。
また、首回りの長さを特定する際に背中心線から、首周りの長さに適用する修正公式とは、首周りの長さに（１０〜１５）を加算し、その合計を（５〜７）で除することを特徴とする。
【実施例１】
【００１９】
本発明の背広原型Ｘは図１及び図２に示すように、基本的には、上着本体１００を背中における着用者の本来の背中心線１０１´より左右に分けて形成した左半身パーツ１及び右半身パーツ２と、左右半身パーツ１，２の中央上部に上方を一部切欠して形成した略楕円形状の袖孔部３と、左半身パーツ１の前身頃前端縁部４を折り曲げ形成した衿部５と、袖孔部３の前方の胸幅部ｂ３と、袖孔部３の下方の脇幅部ｂ２と、袖孔部３の後方の背幅部ｂ１とにより構成し、袖孔部３の切欠端部Ｓ同志および各左右半身パーツ１，２の背中心線１０１同志をそれぞれ接合縫製することにより形成している。
【００２０】
そして、特にかかる左右半身パーツ１，２の肩の部分にそれぞれ左右肩前基点Ｎと左右肩後基点Ｍを特定すると共に、左右肩前基点Ｎから肩の傾斜角度θをもって袖孔部３の切欠前端部３５と結んだ線を前肩稜線６とし、左右肩後基点Ｍから肩の傾斜角度θ´をもって袖孔部３の切欠後端部３６と結んだ線を後肩稜線７とする。
【００２１】
そして、背広原型Ｘを作成するに際しては前肩稜線６と後肩稜線７とを接合縫製することにより立体的な背広原型Ｘ（図４に示す）が完成する。
【００２２】
なお、左右半身パーツ１は基本的に前身頃イと後身頃ロとにより構成されており、図１に示す左半身パーツ１によって説明すると、袖孔部３の後縁部を境にして、その前方を前身頃とし、その後方を後身頃とし、実際の裁断時には前後身頃イ、ロはそれぞれ別々に裁断してその後所定線で縫合して一体とする。
【００２３】
前身頃イと後身頃ロとの縫合線としては、「前肩稜線６と後肩稜線７」及び「縫い代ｙ４」であり、これらの縫合により、前後身頃イ、ロが一体となり、左半身パーツ１が形成される。
【００２４】
以下は、本発明背広原型Ｘの構成中の左半身パーツ１に関して背広原型Ｘとしての型紙Ｕを作成する場合を説明する。
【００２５】
（１）左肩後基点Ｍの仮特定
左肩後基点Ｍは、背中部分の背中心線１０１上端に位置する点を背上端Ｏとし、胸囲の長さの１／２Ｐに（０．１７７±０．００５）を乗じ更に０．１を乗じた長さだけ外方に移動した点を背基点Ｏ´とする。背基点Ｏ´から胸囲の長さの１／２Ｐに（０．１７７±０．００５）を乗じた長さＬ１だけ前方へ移動し、更に移動点ｍから移動長さの約１／４の長さＬ２だけ上方に垂直に移動して特定した計算上の点である。
なお、仮の型紙Ｕにおいて、仮の左肩前基点Ｍを特定する計測方法を説明したが、このように着用者の胸囲の長さＰを基準とする以外にも着用者の首回りの長さＰＰを基準にする方法もある。
すなわち、首回りの長さＰＰに「１３」を加算し、その合計を６で除した数字をＬ１とし、Ｌ１のｍ点からＬ１の４分の１の長さＬ２だけ上方に垂直に移動して、特定した点を仮の左肩後基点Ｍとすることもできる。
すなわち、Ｌ１＝（ＰＰ＋１３）÷６、Ｌ２＝Ｌ１×１／４とする。
【００２６】
仮の左肩前基点Ｎは、前身頃前端縁部４から袖孔部３の前端縁の脇幅点Ｄに至る長さＬ３（Ｆ〜Ｄ）の（０．５６±０．０５）倍の位置の垂直点ｇの垂直線Ｇと、左右肩後基点Ｍからの絶対水平線ｖとの交点によって特定した点である。
【００２７】
しかも、左肩前基点Ｎから一定の調整角度、すなわち肩の傾斜角度θをもって袖孔部３の切欠前端部と結んだ線を左の前肩稜線６とし、左肩後基点Ｍから一定の調整角度、すなわち肩の傾斜角度θ´をもって袖孔部３の切欠後端部と結んだ線を左右の後肩稜線７としている。
なお、必要に応じ、肩の傾斜角度θ，θ´は、後述する正しい左型前後基点Ｎ，Ｍからの肩の傾斜角度として前後肩稜線６，７を定めることができる。
【００２８】
ここで、左肩前基点Ｎから一定の傾斜角度θの前肩稜線６と左肩後基点Ｍから一定の傾斜角度θ´の後肩稜線７は通常の標準角度では２３度の調整角度とするが、実際は着用者の肩の線を分度器等の測定器で計測することにより決定する。
【００４１】
（２）背基点Ｏ´の特定
背基点Ｏ´の位置は人体の骨格に対応させると、第７頚椎と第１胸椎の境の中央部分の点を背上端Ｏの位置とする。
【００４２】
この背基点Ｏ´を上記の人体骨格点に対応させ、実施例の左右肩後基点Ｍ，Ｍ、左右肩前基点Ｎ，Ｎを決定してこの点を中心に肩の角度を測定し、左右半身パーツ１，２をつくることにより、着用者が背広を着用して最も負担を感じない人それぞれの体型にフィットした背広原型ができるものである。
【００４３】
なお、第７頚椎とは、７個の椎骨のうちの１つであり、触感で後へ突出した長い棘突起により確認することができ、別称で隆椎とも言われている。この棘突起の下方に更に第１胸椎の棘突起が存在する。
【００４４】
頚部の動きによって上の棘突起（第７頚椎）は動くが、下の棘突起（第１胸椎）は不動である。
【００４５】
このように頚部の動きを行うことにより動く棘突起と動かない棘突起とを指で確認して、第７頚椎の位置と第１胸椎の位置を人体外部より特定することができる。
ここで、背中心線１０１の上端の背上端Ｏを用いるのではなく、着用者の本来の背中心線１０１´の背基点Ｏ´をすべての寸法の基点としたのは着用者が背広を着用した場合に、背中部分は左右湾曲面となっているため、湾曲面形成のためのゆとり部分を取る必要があり、そのため着用者本来の背基点Ｏ´をゆとり部分考慮の上で定めている。背上端Ｏと背基点Ｏ´との間は、Ｌ１×０．１（１／１０）の長さとする。
【００４７】
（３）正しい左肩前後基点Ｎ，Ｍの特定
（ａ）着用者にとって最も着心地良好な背広の各種寸法の基準となる左右肩後基点Ｍと左右肩前基点Ｎを着用者の身体の測定によって設定するために、以下に説明する基点設定メジャー３０と高さ測定メジャー４０との二種類の器具を準備する。
【００４８】
（ｂ）基点設定メジャー３０は、図９に示すようにループ状の紐体３１で構成し、ループ状の紐体３１を仮想二等分したループ状の紐体３１の中央位置には基点用重錘３２を介設し、紐体３１の仮想二等分した他方の点、すなわち、該重錘３２と正反対側に位置する地点を基準ポイントＫＰとしており、しかも、ループ状の紐体３１においては中央の一方の点、すなわち、基準ポイントＫＰを中心として左右にｍｍ或はｃｍ等の長さを示す表示目盛３３が表記されている。
【００４９】
高さ測定メジャー４０は、図１０に示すように長尺紐体４１の一端に高さ用重錘４２を連設し、該重錘４２の底面からの長さを示すために長尺紐体４１にｍｍ或はｃｍ等の長さを示す高さ表示目盛４３を表記している。
高さ用重錘４２は、後述するように地上面から左右肩前後基点Ｎ，Ｍまでの長さを計測する際に長尺紐体４１の張力を生起し、正確な長さ寸法を取得するためのものであり、土木工事の測量に使用する落下重錘と同様の機能を果す。
すなわち、重力に沿った状態で左右肩前後基点Ｎ，Ｍを定めんとするものである。
【００５０】
上記のように構成された基点設定メジャー３０と高さ測定メジャー４０は、図１１、図８に示すように用いられて各メジャー３０，４０により測定した数値により仮の基点Ｍ，Ｎから着用者の体型にフィットする正しい左右肩後基点Ｍと左右肩前基点Ｎの位置を定め、その左右肩後基点Ｍと左右肩前基点Ｎの正しい位置の型紙Ｕを作成することになる。
【００５１】
（ｃ）まず、着用者の首にループ状の基点設定メジャー３０を吊下し、基点用重錘３２が胸元に位置する状態とする。
この状態は、ループ状の紐体３１が首から胸元にかけて配置吊下された状態であり、いわば背広の衿の左右ラインをループ状の紐体３１の左右ライン３４，３４がなぞったＶ字形の紐体３１軌跡が形成されたことになる。
この状態において、紐体３１の背基点ポイントＧＰは、着用者の背基点Ｏ´の位置、すなわち骨格の第７頚椎と第１胸椎の境中央部の位置と一致している。
【００５２】
（ｄ）次いで、首に吊下した紐体３１において、この背基点Ｏ´に位置した背基点ポイントＧＰから左側方（ここでは左半身パーツ１作成のため）に向かって仮の基準寸法の９ｃｍの離隔位置を着用者の体格における仮の左右肩後基点Ｍ、左右肩前基点Ｎと仮定する（当然に左右肩後基点Ｍと左右肩前基点Ｎは、互いに一致した一点として仮に定められている）。なお、仮の基準寸法の９ｃｍは、平均的な着用者の仮の寸法である。
従って、平均的な標準の着用者（反身、前屈身でない人）の場合は、この基準寸法９ｃｍの位置である仮の左右肩前後基点Ｎ，Ｍを正しい基点Ｎ，Ｍとして各種測定の基準とすることができるが、実際は着用者の体型の特殊性（反身、前屈身など）があるため、本実施例のような修正を行い、着用者の体型に合致した正しい左右肩前後基点Ｎ，Ｍを定めることになる。
【００５３】
そして、地上面（ＧＬ）から紐体３１の仮の左右肩後基点Ｍ及び仮の左右肩前基点Ｎまでの長さを高さ測定メジャー４０により測定するものであるが、地上面（ＧＬ）から左右肩後基点Ｍまでの長さαは、着用者の背中側（後側）において測定し、地上面（ＧＬ）から左右肩前基点Ｎまでの長さβは、着用者の胸面側（前側）において測定する。
【００５４】
ここで、着用者が前屈姿勢の体型（いわゆる猫背型）の場合は、ＧＬ〜Ｍ＞ＧＬ〜Ｎとなる。以下に述べるようにかかる着用者の体型に合致した正しい左右肩前後基点Ｎ，Ｍに修正する技術が本発明の実施例である。ＧＬ〜Ｍ＝α、ＧＬ〜Ｎ＝βとすれば、αとβの差は仮の標準寸法の９ｃｍで仮定した紐体３１の仮の左右肩後基点Ｍ、仮の左右肩前基点Ｎの位置修正の要因として用いられることになる。
【００５５】
（ｅ）そこで、着用者の左右肩後基点Ｍの仮位置を型紙Ｕ上で設定するために、段落番号〔００２５〕に記載の様に着用者の本来の背中心線１０１´の背基点Ｏ´から胸囲の長さの１／２Ｐを乗じた長さＬ１を算出し、その分だけ前方へ移動し、更に移動点ｍから移動長さの約１／４の長さＬ２だけ上方に垂直に移動し、その点を仮の左右肩後基点Ｍとする。
【００５６】
すなわち、着用者の胸囲の長さの１／２Ｐを測定することにより必然的に左右肩後基点Ｍの仮位置は仮型紙上で計算上特定されたことになり、これを基にして仮型紙上で背基点Ｏ´と左右肩後基点Ｍ間の湾曲線の首筋ラインＷＮの長さｒｃｍ（換言すれば、着用者の首に吊下した基点設定メジャー３０における基準ポイントＫＰから左側方向へ移動する正しい位置までの長さ）を算出する。計算上で生れたこの首筋ラインＷＮの長さｒｃｍの位置が着用者に対する実測による正しい左右肩後基点Ｍ及び左右肩前基点Ｎの位置である。
しかし、この位置は計算上のものでより具体的に着用者の体格のどの位置であるかを以下の方法で特定し、各種測定の基準点となる正しい基点Ｎ，Ｍを定めることになる。
【００５７】
ここで重要なことは、ループ状の紐体３１における仮の基準寸法９ｃｍの位置を紐体３１の仮の左肩前後基点Ｎ，Ｍとして、これを仮の型紙Ｕにおける仮の左肩前後基点Ｎ，Ｍの位置としたことである。
【００５８】
すなわち、仮の型紙Ｕにおいて、計算上の左肩後基点Ｍの位置は、段落番号００２５で説明したように、背基点Ｏ´から、実測した着用者の胸囲の長さの１／２Ｐに（０．１７７±０．００５）を乗じた長さＬ１だけ前方へ移動し、更に、移動点ｍから移動長さの約１／４の長さＬ２だけ上方に垂直に移動した点、あるいは、首周りから測定して特定した点として計算上仮決定している。この背基点Ｏ´と左肩後基点Ｍとの間を結んだ曲線を首筋ラインＷＮとした場合、この湾曲線の首筋ラインＷＮは、首に吊下した基点設定メジャー３０の紐体３１の襟ラインと一致した形状となるため、とりあえず、背基点Ｏ´から首筋ラインＷＮの仮の基準寸法９ｃｍの位置を着用者の左肩における仮の左肩後基点Ｍの位置とすることにした。すなわち、着用者の肩の現実上の基点と仮定しておくのである。
【００５９】
他方、型紙Ｕにおける首筋ラインＷＮの長さｒｃｍは、着用者の胸囲実測から上記の計算（段落番号〔００２５〕の計算）により導いた客観的な長さであり、従ってこの湾曲長さｒｃｍがループ状の紐体３１における背基点Ｏ´からの本来の正しい左肩後基点Ｍに至る長さであると言える。
【００６０】
しかし、当初の仮の左肩後基点Ｍ（着用者の肩における現実の特定点）は、紐体３１の仮の基準寸法９ｃｍの位置としているために着用者の本来の正しい左肩後基点Ｍの位置とはなっていない。
【００６１】
そこで、型紙Ｕ上で本来の正しい左肩後基点Ｍの位置を決定するために、紐体３１において標準点とした基準寸法９ｃｍの位置、すなわち仮の左肩後基点Ｍの位置で地上面（ＧＬ）から着用者の背中側と胸面側で長さを測定し、その差（αとβとの差）を求め、このαとβの差を仮の左肩前基点Ｍの位置修正に加味する。
【００６２】
すなわち、仮の基準寸法９ｃｍと首筋ラインＷＮの長さとの差（ＬＸ）、仮に首筋ラインＷＮの長さが８．５ｃｍであるとすると９ｃｍ−８．５ｃｍ＝０．５ｃｍを出す。
【００６３】
そしてこの０．５cmの差（ＬＸ）を紐体３１上の仮の左肩後基点Ｍの位置で測定したα,βの増減要因として用いる。
【００６４】
αは、背中側の測定値であるから屈身の着用者の場合は、αに０．５ｃｍのＬＸを加算し、βから０．５ｃｍのＬＸを減算し、その結果、（α−β）が本来の着用者の実寸を基にした左肩前後基点Ｍ、左肩前基点Ｎの正しい位置となる。
【００６５】
従って、型紙Ｕでは、仮の左肩後基点Ｍの地上高（α）に修正を加えてその分だけ後身頃の上部が上方に伸長した形状或は体型により下方に短縮した形状となり、これと同様に仮の左肩前基点Ｎの地上高（α）に修正を加えて、修正分だけ前身頃イの上部が上下方に伸縮した形状となる。そこではじめて、正しい左肩前後基点Ｎ，Ｍが特定されたことになる。
【００６６】
正しい左肩後基点Ｍが特定されれば、左肩前基点Ｎの位置特定は段落番号〔００２４〕に説明したように、前身頃前端縁部４から袖孔部３の前端縁の脇幅点Ｄに至る長さＬ３（Ｆ〜Ｄ）の（０．５６±０．０５）位の位置の垂直点ｇの垂直線Ｇと、すでに一特定が行われた左肩後基点Ｍからの絶対水平線ｖとの交点によって特定される。
【００６７】
（４）正しい左肩前後基点Ｎ，Ｍの他の特定方法
以上、実測による数値を基にした左肩前後基点Ｎ，Ｍの正しい位置決定の手順を説明したが、簡略化した他の方法もある。
すなわち、段落番号〔００２５〕で説明したように型紙Ｕにおいて、胸囲の実測により左肩後基点Ｍの仮位置が特定されているので、背基点Ｏ´と左肩後基点Ｍとを結ぶ湾曲の首筋ラインＷＮの長さｒｃｍも特定される。首筋ラインＷＮの長さｒｃｍを客観的に決定したら、次いで基点設定メジャー３０を首に吊下し、基準ポイントＫＰから左側の首筋ラインＷＮの長さｒｃｍの位置をとれば、これが必然的に着用者の身体における簡易決定による左肩後基点Ｍ（Ｎ）の位置となる。
【００６８】
この正しい左肩後基点Ｍの位置を型紙Ｕに反映するためには、高さ測定メジャー４０により、地上面（ＧＬ）からの背中側及び胸面側の長さを計測して、α,βを出す。
次いで、図１に示すように型紙Ｕにおいては、背基点Ｏ´からの湾曲状の首筋ラインＷＮの縮尺長さの軌跡ｔ１と、地上面（ＧＬ）から左肩後基点Ｍまでの実測の縮尺長さの軌跡ｔ２との交点を型紙Ｕにおける左肩後基点Ｍの正しい位置とする。
【００６９】
この簡略化した手順は、着用者の背基点Ｏ´の位置を客観的に決定することができることから、これに発明者の長年の仕立て実績による左肩後基点Ｍの位置算出方法（段落番号〔００２５〕参照）により仮の左肩後基点Ｍを決定し、これに更に基点設定メジャー３０によって測定したα，βの数値に、着用者の本来の身体上における正しい左肩後基点Ｍの位置情報を加味して、胸囲から算出して型紙Ｕ上に表示した計算上の仮の左肩後基点Ｍの位置を修正し、型紙Ｕ上に正しい左肩後基点Ｍを特定するものである。
【００７０】
（５）以上述べたのは、左半分の前身頃イと後身頃ロに関する正しい左肩前後基点Ｎ，Ｍの位置決定手順に関するものであるが、同様にして右半分の前身頃イと後身頃ロに関しても右肩前後基点Ｎ，Ｍの正しい位置決定を行うことができる。
このように客観的な背基点Ｏ´位置を中心に左右肩前後基点Ｎ，Ｍの位置を算出してそれを基準にして最も着用者にフィットして動きやすい型紙Ｕとすることができる。
【００７１】
背広全体としてみると、左右肩前後基点Ｎ，Ｍ；Ｎ，Ｍが反身、屈身、いかり肩、なで肩等各種の体型に合致した最適位置に決定されるために左右両肩部分が背基点Ｏ´を中心に左右釣り合った「やじろべえ」（スイング態様）のバランスをとることができ、外観的な見た目も、また着用者の活動に関してもスマートで無理のない背広を提供することができる。
【００２９】
（６）バストラインＢ、ウエストラインＷ，ヒップラインＨ、裾ラインＪについて
左半身パーツ１は、上端縁から一定の距離にバストラインＢ、ウエストラインＷ、ヒップラインＨ及び裾ラインＪを形成している。
【００３０】
バストラインＢは、着用者の本来の背中心線１０１´の背基点Ｏ´から、胸囲の長さの１／２Ｐに約０．４５を乗じた長さだけ下方に位置したバスト点Ｃからの横線にゆとりとして示している（Ｏ´〜Ｃ＝Ｐ×０．４５）。
ここで胸囲の長さの１／２Ｐは、実際の測定した胸囲の１／２Ｐ´に（６ｃｍ±２）ｃｍを加算した数値である（Ｐ＝Ｐ´ｃｍ±（６ｃｍ±２））。
なお、Ｏ´〜Ｃの縦長さを背丈Ｋとする。
【００３１】
実際には、Ｏ´〜Ｃの背丈Ｋの線に横幅のゆとりｙ１を設けるため、胸囲の長さの１／２Ｐに約０．１５と約０．１を乗じた地点に背基点Ｏ´を背中心線１０１から拡幅している（Ｏ〜Ｏ´＝Ｐ×０．１５×０．１）。
【００３２】
同様にバストラインＢのバスト点Ｃからも２ｃｍのゆとりｙ２を形成している。
バストラインＢのバスト点Ｃからゆとりｙ１をとったＣ´（バストゆとり点）から、胸囲の長さの１／２Ｐに約０．３８を乗じた長さの地点、すなわち袖孔部３の後端縁に至る点を背幅点Ｅとする（Ｃ´〜Ｅ＝Ｐ×約０．３８）。
【００３３】
なお、Ｃ´〜Ｅの横幅を背幅部ｂ１とする。
バストラインＢにおける袖孔部３の後端縁位置の背幅点Ｅから胸囲の長さの１／２Ｐに約０．２５を乗じた長さの点、すなわち袖孔部３の前端縁に至る点を脇幅点Ｄとし、Ｄ〜Ｅの横幅を脇幅部ｂ２とする。
【００３４】
なお、Ｅ〜Ｄには、前身頃と後身頃との接合部分の縫い代ｙ４の幅員（５ｍｍ）及び前身頃の袖孔部３下方の脇ダーツｙ３の幅員（１５ｍｍ）を含む（Ｅ〜Ｄ＝Ｐ×０．２５＋２０ｍｍ）。
【００３５】
背上着本体１００の前身頃イの前端縁のボタン位置をボタン点Ｆとし、胸囲の長さの１／２Ｐに約０．３７を乗じた長さがＤ〜Ｆの横幅となり、これを胸幅部ｂ３とする（Ｄ〜Ｆ＝Ｐ×約０．３７）。
バストラインＢにおいて、Ｄ〜Ｆの中間でＤ〜Ｆの長さに約０．５６を乗じた長さの点を垂直点ｇとし、垂直点ｇの垂直線Ｇ上端が左肩前基点Ｎとなる。
【００３６】
ウエストラインＷは、バストラインＢとヒップラインＨとの中間点、すなわち、（Ｂ〜Ｈ）×１／２のウエスト点Ｉの横線である。ヒップラインＨは、着丈、すなわち背基点Ｏ´から裾ラインＪまでの長さに約０．１８４を乗じた長さのヒップＱ点における横線である。
【００３７】
なお、図中、ｙ５は、衿下方のゆとりを示す前ダーツである。
また、Ｒは、胸ポケットを示す。
５´は、衿部５の上端部に連設して縫合した首衿部であり、前後肩稜線６，７以外の背幅部ｂ１の上端部（５"）に連設縫合される。
【００３８】
また、裾ラインＪは、前身頃の裾ラインＪ１を約１．５ｃｍ前下りとし、着用時に裾ラインＪが全体的に水平に見えて背広全体の見栄えを良好とする。
左右半身パーツ１，２を縫合して背広原型Ｘを製作する場合、好みで着用者の体形にピッタリとフィットするように構成するか、ゆったりと構成するかは、胸囲の長さＰの数値で調整する。
【００３９】
すなわち、上記実施例では、Ｐ＝Ｐ´＋（６±２）として説明したが、（Ｐ＝Ｐ´＋４）から（Ｐ＝Ｐ´＋９）の範囲で調整することができ、Ｐがこのように調整されると、Ｐに関係するＯ〜Ｃ、Ｏ〜Ｏ´、Ｃ´〜Ｅ、Ｅ〜Ｄ、Ｄ〜Ｆ、Ｍ、Ｎの数値や位置が変化していく。
【００４０】
以上、詳説したのは左半身パーツ１の各ラインに関するものであるが、右半身パーツ２についても全く同様であり、略左右対称に形成される（図２参照）。
【００４６】
（７）寸法表
実際に左半身パーツ１を作成するためにはまず、着用者の体型の寸法の測定から開始する。
図７に示すのは、測定寸法の記入用の寸法表１０であり、次のような欄が設けられている。すなわち、
測定日時欄１１、着用者の名前欄１２、反身か屈身かの区別とその寸法を記載する体型欄１３、
左右肩前基点Ｎからの肩の傾斜角度を記入する欄１４、左右肩後基点Ｍからの肩の傾斜角度を記入する欄１５、
左右肩前基点Ｎからの傾斜角度と左右肩後基点Ｍからの傾斜角度との和に１／２を乗じた平均角度を記入する欄１６、
左右肩前基点Ｎを特定するために（Ｆ〜Ｄ）の長さＬと（０．５６±０．０５）を乗じた数字を記入するＮ点寸法欄１７、
左右肩後基点Ｍを特定するために胸囲の長さＰの１／２に（０．１７７±０．００５）を乗じた数字Ｌ１およびＬ１に１／４を乗じた数字Ｌ２を記入するためのＭ点寸法欄１８、
背基点Ｏ´から胸囲の長さの１／２Ｐに０．４５を乗じた長さだけ下方に位置したＣまでの長さを記入する背丈寸法欄１９、
実際の胸囲Ｐ´にゆとりとしての余裕寸法を加算した数値を記入する胸囲寸法欄２０、
実際に測定したバストラインＢにおける胸幅部ｂ３の寸法を記入する胸幅欄２１、
バストラインＢにおける脇幅部ｂ２の寸法を記入する脇幅欄２２、
バストラインＢにおける背幅部ｂ１の寸法を記入する背幅欄２３、
ウエストラインＷにおける寸法を記入するウエスト寸法欄２４、
ウエストラインＷにおける前身頃イの幅寸法を記入するウエスト前幅欄２５、
ウエストラインＷにおける後身頃ロの幅寸法を記入するウエスト後幅欄２６、
実際に測定したヒップラインＨにおける寸法を記入するヒップ前幅欄２７、
ヒップラインＨにおける前身頃イの幅を記入するヒップ前幅欄２８、
ヒップラインＨにおける後身頃ロの幅を記入するヒップ後幅欄２９
等の各欄が寸法表１０に設けられている。
（８）以上説明したようにして最初に仮に設定した仮の基点Ｎ，Ｍは、着用者の体型に合わせて位置修正がなされて正しい着用者体型に合致した位置に変更されるのであり、この位置修正により正しい基点Ｎ，Ｍが型紙作成のための採寸（肩の傾斜角度や肩稜線の長さなど）の基準点となり、このようにして作成した型紙により背広を作ると着用者の種々の異なった体型にフィットした背広を提供することができる。
【符号の説明】
【００７２】
１００  上着本体
１０１  背中心線
１０１´  本来の背中心線
１  左半身パーツ
２  右半身パーツ
３  袖孔部
３５  切欠前端部
３６  切欠後端部
４  前身頃前端縁部
５  衿部
６  前肩稜線
７  後肩稜線
１０  寸法表
Ｕ  型紙
ｂ１  背幅部
ｂ２  脇幅部
ｂ３  胸幅部
Ｎ，Ｎ  左右肩前基点
Ｍ，Ｍ  左右肩後基点
Ｐ  胸囲の長さの１／２
Ｏ  背上端
Ｏ´  背基点
Ａ  背広原型
ｍ  移動点
ｇ  垂直点
ｒ  湾曲長さ
ＧＬ  地上面
θ  前傾斜角度
θ´  後傾斜角度
ｖ  絶対水平線
Ｓ  切欠
３０  基点設定メジャー
３１  ループ状紐体
３２  重錘
ＫＰ  基準ポイント
３３  表示目盛
ＧＰ  背基点ポイント
４０  高さ測定メジャー
４１  長尺紐体
４２  高さ用重錘
４３  表示目盛
ＷＮ  首筋ライン
α  地上面ＧＬから左右肩後基点Ｍまでの長さ
β  地上面ＧＬから左右肩前基点Ｎまでの長さ
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
上着本体を背中部分の背中心線より左右に分けて形成した左半身パーツ及び右半身パーツと、左右半身パーツの中央上部に上方を一部切欠して形成した楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、人体骨格における第７頸椎と第１頸椎の境の中央部分の点である、着用者の本来の背中心線上端とすべき背基点から、首周りの長さに（１０〜１５）を加算し、その合計を（５〜７）で除する修正公式あるいは胸囲の長さに１／２×（０．１７７±０．００５）を乗じる修正公式を適用して算出した長さだけ前方へ移動し、更に移動した点から移動長さの１／４の長さだけ上方に垂直に移動して特定した点を仮の左右肩後基点とし、前身頃前端縁から袖孔部の前端縁に至る長さの０．５〜０．６倍の位置の垂直線と、左右肩後基点からの絶対水平線との交点によって特定した点を仮の左右肩前基点とし、「後身頃の背中の背基点と左右肩前後基点との間の湾曲状の首筋ラインの長さ」と「背基点から着用者の首から胸元にかけて吊下したループ状の紐体における平均的な着用者の仮の基準寸法である離隔位置までの長さ」との差を背基点から着用者の首に吊下した首筋ラインとなるループ状の紐体における仮の基準点である離隔位置から着用者の身体の背側を通る地上面までの長さ及び胸側を通る地上面までの長さに対して着用者の体型の特殊性に応じてその一方に対しては加算し、他方に対しては減算するような修正をすることにより、正しい左右肩前後基点の位置を修正特定し、左右肩前基点から一定の傾斜角度をもって袖孔の切欠前端部と結んだ線を左右の前肩稜線とし、修正した正しい左右肩後基点から一定の傾斜角度をもって袖孔の切欠後端部と結んだ線を左右の後肩稜線とし、前肩稜線と後肩稜線とを接合縫製することにより構成したことを特徴とする背広原型。
【手続補正２】
【補正対象書類名】明細書
【補正対象項目名】全文
【補正方法】変更
【補正の内容】
【発明の詳細な説明】
【技術分野】
【０００１】
本発明は、背広原型に関する。
【背景技術】
【０００２】
従来、洋服の上着の仕立てについては、縫製用のパーツの裁断に工夫をこらして仕立てた洋服（上着）の着用が行いやすいようにしたり、着用状態での運動が行いやすいように工夫されている。
【０００３】
例えば、特許第４７７９０８５号発明では、衿部・左右袖部を一体的に裁断して形成した上パターンと、前身頃及び後身頃を一体的に裁断して形成した下パターンを基本として各パターンの衿部の接合ラインと左前身頃の接合ラインとを適当に接合して衣服を形成することにより、衣服の軽量化をはかり、かつ、着用者の動作を限定せず、動きやすく、かつ、作業性、安全性に優れた着心地のよい衣服を提供できるようにしている。
【０００４】
また、特許第４５３７５５３号発明では、前身頃と後身頃の上部に連接する腕部材を前腕部材、後腕部材、下腕部材に分けて袖を少なくとも３枚の部材で作り、各腕部材の形状を一定方向に湾曲したり、前身頃と後身頃に取付けられる側縁部とを鋭角に交差した状態として鋭角の交差部分が襠部となって縫製状態で運動に必要なゆとりを形成している。
このように裁断することによって袖部分を肘を軽く曲げて腕を斜め下前方に出した状態の曲線に近い立体形状を形成し、腕の前後左右の運動に対して着用感が良好な上着としている。
【先行技術文献】
【特許文献】
【０００５】
【特許文献１】特許第４７７９０８５号公報
【特許文献２】特許第４５３７５５３号公報
【発明の概要】
【発明が解決しようとする課題】
【０００６】
ところが、かかる縫製パターンや袖部分の分解パターンによる上着の縫製では、確かに着心地や、運動のしやすさにおいては優れているものの、背広やジャケット等の上着に関して最も重要視されるスタイルの点で難点を有している。
すなわち、着用状態での着用者の体型的諸条件、例えば身長や、背の前後傾（猫背、反り身）や、左右の肩の上下バランス等の諸条件に合致し、着用者の体型的特徴にフィットする背広を縫製することができない。
【０００７】
また、一般の背広では、背広本体を背中部分の背中心線から左右に分けて形成した左半身パーツと右半身パーツを背中部分で縫い合わせて背広をつくるものである。そして、各半身パーツは前身頃と後見頃を組合わせて構成される。その際に、両肩幅間の長さや、丈の長さや、バストの長さや、ウエストの長さや、袖の長さ等を計測して標準的な着用者の体型に可及的に合致するような既製の左右半身パーツをつくり、或いは、複数に分類した体型毎の標準型背広のための左右半身パーツを製作し、或いは、特定の人からの注文により計測した数値を基にして特定着用者の体型に合致した仕立て仕用の左右半身パーツをつくり、これらの左右半身パーツを基にして背広を製作している。
【０００８】
しかし、このような背広の製作において計測する上半身の部位は、背丈やバストラインや肩幅や袖長さ等のように伝統的に古来より特定された部位に限定されていた。
【０００９】
このように、従来の背広仕立てにおいては、着用者の肩の傾斜や肩長さや背中の前傾、反身等のように最も体型にフィットするために必要な身体部位の計測を考慮するものではなく、かつ、かかる必須部位の計測結果と他の部位の計測結果との相関関係を考慮してパターンの裁断を行う技術もなかった。
【００１０】
そのため、着用者の種々の体型に最もフィットするような計測を行い、それをもとにしてパターンの裁断を行って背広を簡便に製作する技術が求められていた。
【００１１】
例えば、旧来の背広仕立の計測において、仮に着用者の体型の計測部位を増加させて細部にわたる計測を行ったとしても、その計測結果を左右半身パーツの各部位の裁断に実現するためには、もっとも体型にフィットする各計測間の相関関係が必要であり、かかる一定の相関関係考慮することなく単に計測の数値だけをもとにしてパターンの裁断を行ったとしても適確な背広原型は出来上がらない。
【００１２】
この発明では、着用者の体型の計測部位を肩線の基点とそれからの傾斜のように特定の部位に限定し、この特定の部位からの体前後における地上高を計測し、その計測値を基にして着用者の種々の体型、特に人によってそれぞれ異なる反身、屈身や肩線の角度、長さ等を背広の縫製に反映させることによって、左右半身パーツを簡便に製作でき、各種体型の着用者にフィットさせることのできるスタイルの背広原型を提供するものである。
【課題を解決するための手段】
【００１３】
この発明は、上着本体を背中部分の背中心線より左右に分けて形成した左半身パーツ及び右半身パーツと、左右半身パーツの中央上部に上方を一部切欠して形成した楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、人体骨格における第７頸椎と第１頸椎の境の中央部分の点である、着用者の本来の背中心線上端とすべき背基点から、首周りの長さに（１０〜１５）を加算し、その合計を（５〜７）で除する修正公式あるいは胸囲の長さに１／２×（０．１７７±０．００５）を乗じる修正公式を適用して算出した長さだけ前方へ移動し、更に移動した点から移動長さの１／４の長さだけ上方に垂直に移動して特定した点を仮の左右肩後基点とし、前身頃前端縁から袖孔部の前端縁に至る長さの０．５〜０．６倍の位置の垂直線と、左右肩後基点からの絶対水平線との交点によって特定した点を仮の左右肩前基点とし、「後身頃の背中の背基点と左右肩前後基点との間の湾曲状の首筋ラインの長さ」と「背基点から着用者の首から胸元にかけて吊下したループ状の紐体における平均的な着用者の仮の基準寸法である離隔位置までの長さ」との差を背基点から着用者の首に吊下した首筋ラインとなるループ状の紐体における仮の基準点である離隔位置から着用者の身体の背側を通る地上面までの長さ及び胸側を通る地上面までの長さに対して着用者の体型の特殊性に応じてその一方に対しては加算し、他方に対しては減算するような修正をすることにより、正しい左右肩前後基点の位置を修正特定し、左右肩前基点から一定の傾斜角度をもって袖孔の切欠前端部と結んだ線を左右の前肩稜線とし、修正した正しい左右肩後基点から一定の傾斜角度をもって袖孔の切欠後端部と結んだ線を左右の後肩稜線とし、前肩稜線と後肩稜線とを接合縫製することにより構成したことを特徴とする背広原型を提供するものである。
【００１４】
以上のように本発明の基本的考え方は、着用者の客観的数値となる胸囲あるいは首周りの長さを測定してそれに修正公式を適用し、背広原型の基となる型紙上に、客観的な背基点から一定の距離と場所に仮の左右肩前後基点を設定する。この仮の基点の位置に、首筋ラインの長さと、仮の基点から身体前後面を通過した地上面までの距離との要素を加味することにより型紙上における仮の左右肩前後基点の位置を正しい位置に修正し、型紙上に正しい左右肩前後基点を設定し直す。この正しい左右肩前後基点をすべての寸法の原点として背広原型に必要な型紙の各点を設定していくことを基本的な考え方としている。
すなわち、背広原型を作成する際に、実際の着用者の首筋ライン測定値や仮の左右肩前後基点から身体前後面を通過した地上面までの距離や肩の傾斜角度等の要素を用いることを特徴としており、かかる手法により、着用者の身体的体格がいかに異なっても、常に背基点を中心として左右が「やじろべえ」の均衡した姿勢となり、着心地の最良な背広原型を提供できる。
【発明の効果】
【００１５】
この発明によれば、通常の背広を作成するために必要とされる背広原型において、両肩部分に仮想の左右肩前後基点を一定の手法により特定し、この基点を中心に肩傾斜や襟までの長さなどの背広に必要な各種寸法を算出し、背広原型、いわゆる型紙を作成するものであり、具体的には、仮の左肩後基点の位置を、着用者の胸囲或は首回りの長さに一定の修正公式を適用することにより特定し、次いで、着用者の本来の背中心線上端とすべき背基点と仮の左肩後基点との間の湾曲状の首筋ラインの長さの差によって、仮の左肩後基点から地上面までの胸側及び背中側を通る長さを増減修正することにより、正しい左肩後基点を特定し、この正しい左肩後基点から正しい左肩前基点を特定し、なで肩やいかり型、猫背や反身などの着用者に固有の体型にフィットする服を制作することができると共に、かかる計測や背広の原型を表す型紙の制作も容易となり、人それぞれの体型に的確にフィットした背広原型の制作を高度の熟練を必要とすることなく遂行出来る効果がある。
【００１６】
かかる背広原型で制作した背広衣服は着用者に体型に的確にフィットし、しかも活動しやすい肩となっているため、着用時に首後部近辺や肩の前後に不要な皺を生起することなく左右腕の動きになじんでスマートな背広の着用姿勢を提供することができる効果がある。
特に、首筋ラインに沿った背基点からの長さを基準にして仮想の左右肩前後基点を仮に特定し、その後地上面からの長さを測定してこの測定値を修正しながら正しい左右肩前後基点を特定し、この正しい左右肩前後基点を背広原型に必要な各種寸法の基準点としたため、背広の左右肩が背基点を中心として「やじろべえ」の原理を用いたバランスのとれた形態となり着用者のいかなる体型にもフィットすることができる効果がある。
【図面の簡単な説明】
【００１７】
【図１】本発明の背広原型の左半身パーツを示す展開図。
【図２】本発明の背広原型の右半身パーツを示す展開図。
【図３】本発明の背広原型の縫製後の立体的な側面図。
【図４】本発明の背広原型の縫製後の立体的な斜視図。
【図５】本発明の背広原型により制作した背広衣服の斜視図。
【図６】本発明の背広原型における左肩後基点の周辺を示す一部拡大図。
【図７】本発明の背広原型における左肩後基点の周辺を示す一部拡大図。
【図８】着用者の仮の左肩前後基点Ｎ，Ｍと地上面ＧＬとの長さの測定状態を示す説明図。
【図９】基点設定メジャーの説明図。
【図１０】高さ測定メジャーの説明図。
【図１１】着用者の首にループ状の基点設定メジャーを吊下した説明図。
【発明を実施するための形態】
【００１８】
上着本体を背中部分の背中心線より左右に分けて形成した左半身パーツ及び右半身パーツと、左右半身パーツの中央上部に上方を一部切欠して形成した楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、
人体骨格における第７頸椎と第１頸椎の境の中央部分の点である、着用者の本来の背中心線上端とすべき背基点から、首周りの長さに（１０〜１５）を加算し、その合計を（５〜７）で除する修正公式あるいは胸囲の長さに１／２×（０．１７７±０．００５）を乗じる修正公式を適用して算出した長さだけ前方へ移動し、更に移動した点から移動長さの１／４の長さだけ上方に垂直に移動して特定した点を仮の左右肩後基点とし、
前身頃前端縁から袖孔部の前端縁に至る長さの０．５〜０．６倍の位置の垂直線と、左右肩後基点からの絶対水平線との交点によって特定した点を仮の左右肩前基点とし、
「後身頃の背中の背基点と左右肩前後基点との間の湾曲状の首筋ラインの長さ」と「背基点から着用者の首から胸元にかけて吊下したループ状の紐体における平均的な着用者の仮の基準寸法たる９ｃｍの離隔位置までの長さ」との差を背基点から着用者の首に吊下した首筋ラインとなるループ状の紐体における仮の基準点たる９ｃｍの離隔位置から着用者の身体の背側を通る地上面までの長さ及び胸側を通る地上面までの長さに対して着用者の体型の特殊性に応じてその一方に対しては加算し、他方に対しては減算するような修正をすることにより、正しい左右肩前後基点の位置を修正特定し、左右肩前基点から一定の傾斜角度をもって袖孔の切欠前端部と結んだ線を左右の前肩稜線とし、修正した左右肩後基点から一定の傾斜角度をもって袖孔の切欠後端部と結んだ線を左右の後肩稜線とし、
前肩稜線と後肩稜線とを接合縫製することにより構成したことを特徴とする背広原型とすることにより背広原型Ａを制作し、その後に必要な各種パーツや裏生地などを付加して上着本体１００製作を完了するものである。
【実施例１】
【００１９】
本発明の背広原型Ｘは図１及び図２に示すように、基本的には、上着本体１００を背中における着用者の本来の背中心線１０１´より左右に分けて形成した左半身パーツ１及び右半身パーツ２と、左右半身パーツ１，２の中央上部に上方を一部切欠して形成した略楕円形状の袖孔部３と、左半身パーツ１の前身頃前端縁部４を折り曲げ形成した衿部５と、袖孔部３の前方の胸幅部ｂ３と、袖孔部３の下方の脇幅部ｂ２と、袖孔部３の後方の背幅部ｂ１とにより構成し、袖孔部３の切欠端部Ｓ同志および各左右半身パーツ１，２の背中心線１０１同志をそれぞれ接合縫製することにより形成している。
【００２０】
そして、特にかかる左右半身パーツ１，２の肩の部分にそれぞれ左右肩前基点Ｎと左右肩後基点Ｍを特定すると共に、左右肩前基点Ｎから肩の傾斜角度θをもって袖孔部３の切欠前端部３５と結んだ線を前肩稜線６とし、左右肩後基点Ｍから肩の傾斜角度θ´をもって袖孔部３の切欠後端部３６と結んだ線を後肩稜線７とする。
【００２１】
そして、背広原型Ｘを作成するに際しては前肩稜線６と後肩稜線７とを接合縫製することにより立体的な背広原型Ｘ（図４に示す）が完成する。
【００２２】
なお、左右半身パーツ１は基本的に前身頃イと後身頃ロとにより構成されており、図１に示す左半身パーツ１によって説明すると、袖孔部３の後縁部を境にして、その前方を前身頃とし、その後方を後身頃とし、実際の裁断時には前後身頃イ、ロはそれぞれ別々に裁断してその後所定線で縫合して一体とする。
【００２３】
前身頃イと後身頃ロとの縫合線としては、「前肩稜線６と後肩稜線７」及び「縫い代ｙ４」であり、これらの縫合により、前後身頃イ、ロが一体となり、左半身パーツ１が形成される。
【００２４】
以下は、本発明背広原型Ｘの構成中の左半身パーツ１に関して背広原型Ｘとしての型紙Ｕを作成する場合を説明する。
【００２５】
（１）左肩後基点Ｍの仮特定
左肩後基点Ｍは、背中部分の背中心線１０１上端に位置する点を背上端Ｏとし、胸囲の長さの１／２Ｐに（０．１７７±０．００５）を乗じ更に０．１を乗じた長さだけ外方に移動した点を背基点Ｏ´とする。背基点Ｏ´から胸囲の長さの１／２Ｐに（０．１７７±０．００５）を乗じた長さＬ１だけ前方へ移動し、更に移動点ｍから移動長さの約１／４の長さＬ２だけ上方に垂直に移動して特定した計算上の点である。
なお、仮の型紙Ｕにおいて、仮の左肩前基点Ｍを特定する計測方法を説明したが、このように着用者の胸囲の長さＰを基準とする以外にも着用者の首回りの長さＰＰを基準にする方法もある。
すなわち、首回りの長さＰＰに「１３」を加算し、その合計を６で除した数字をＬ１とし、Ｌ１のｍ点からＬ１の４分の１の長さＬ２だけ上方に垂直に移動して、特定した点を仮の左肩後基点Ｍとすることもできる。
すなわち、Ｌ１＝（ＰＰ＋１３）÷６、Ｌ２＝Ｌ１×１／４とする。
【００２６】
仮の左肩前基点Ｎは、前身頃前端縁部４から袖孔部３の前端縁の脇幅点Ｄに至る長さＬ３（Ｆ〜Ｄ）の（０．５６±０．０５）倍の位置の垂直点ｇの垂直線Ｇと、左右肩後基点Ｍからの絶対水平線ｖとの交点によって特定した点である。
【００２７】
しかも、左肩前基点Ｎから一定の調整角度、すなわち肩の傾斜角度θをもって袖孔部３の切欠前端部と結んだ線を左の前肩稜線６とし、左肩後基点Ｍから一定の調整角度、すなわち肩の傾斜角度θ´をもって袖孔部３の切欠後端部と結んだ線を左右の後肩稜線７としている。
【００２８】
ここで、左肩前基点Ｎから一定の傾斜角度θの前肩稜線６と左肩後基点Ｍから一定の傾斜角度θ´の後肩稜線７は通常の標準角度では２３度の調整角度とするが、実際は着用者の肩の線を分度器等の測定器で計測することにより決定する。
【００２９】
（２）背基点Ｏ´の特定
背基点Ｏ´の位置は人体の骨格に対応させると、第７頚椎と第１胸椎の境の中央部分の点とする。
【００３０】
この背基点Ｏ´を上記の人体骨格点に対応させ、実施例の左右肩後基点Ｍ，Ｍ、左右肩前基点Ｎ，Ｎを決定してこの点を中心に肩の角度を測定し、左右半身パーツ１，２をつくることにより、着用者が背広を着用して最も負担を感じない人それぞれの体型にフィットした背広原型ができるものである。
【００３１】
なお、第７頚椎とは、７個の椎骨のうちの１つであり、触感で後へ突出した長い棘突起により確認することができ、別称で隆椎とも言われている。この棘突起の下方に更に第１胸椎の棘突起が存在する。
【００３２】
頚部の動きによって上の棘突起（第７頚椎）は動くが、下の棘突起（第１胸椎）は不動である。
【００３３】
このように頚部の動きを行うことにより動く棘突起と動かない棘突起とを指で確認して、第７頚椎の位置と第１胸椎の位置を人体外部より特定することができる。
ここで、背中心線１０１の上端の背上端Ｏを用いるのではなく、着用者の本来の背中心線１０１´の背基点Ｏ´をすべての寸法の基点としたのは着用者が背広を着用した場合に、背中部分は左右湾曲面となっているため、湾曲面形成のためのゆとり部分を取る必要があり、そのため着用者本来の背基点Ｏ´をゆとり部分考慮の上で定めている。背上端Ｏと背基点Ｏ´との間は、Ｌ１×０．１（１／１０）の長さとする。
【００３４】
（３）正しい左肩前後基点Ｎ，Ｍの特定
（ａ）着用者にとって最も着心地良好な背広の各種寸法の基準となる左右肩後基点Ｍと左右肩前基点Ｎを着用者の身体の測定によって設定するために、以下に説明する基点設定メジャー３０と高さ測定メジャー４０との二種類の器具を準備する。
【００３５】
（ｂ）基点設定メジャー３０は、図９に示すようにループ状の紐体３１で構成し、ループ状の紐体３１を仮想二等分したループ状の紐体３１の中央位置には基点用重錘３２を介設し、紐体３１の仮想二等分した他方の点、すなわち、該重錘３２と正反対側に位置する地点を基準ポイントＫＰとしており、しかも、ループ状の紐体３１においては中央の一方の点、すなわち、基準ポイントＫＰを中心として左右にｍｍ或はｃｍ等の長さを示す表示目盛３３が表記されている。
【００３６】
高さ測定メジャー４０は、図１０に示すように長尺紐体４１の一端に高さ用重錘４２を連設し、該重錘４２の底面からの長さを示すために長尺紐体４１にｍｍ或はｃｍ等の長さを示す高さ表示目盛４３を表記している。
高さ用重錘４２は、後述するように地上面から左右肩前後基点Ｎ，Ｍまでの長さを計測する際に長尺紐体４１の張力を生起し、正確な長さ寸法を取得するためのものであり、土木工事の測量に使用する落下重錘と同様の機能を果す。
すなわち、重力に沿った状態で左右肩前後基点Ｎ，Ｍを定めんとするものである。
【００３７】
上記のように構成された基点設定メジャー３０と高さ測定メジャー４０は、図１１、図８に示すように用いられて各メジャー３０，４０により測定した数値により仮の基点Ｍ，Ｎから着用者の体型にフィットする正しい左右肩後基点Ｍと左右肩前基点Ｎの位置を定め、その左右肩後基点Ｍと左右肩前基点Ｎの正しい位置の型紙Ｕを作成することになる。
【００３８】
（ｃ）まず、着用者の首にループ状の基点設定メジャー３０を吊下し、基点用重錘３２が胸元に位置する状態とする。
この状態は、ループ状の紐体３１が首から胸元にかけて配置吊下された状態であり、いわば背広の衿の左右ラインをループ状の紐体３１の左右ライン３４，３４がなぞったＶ字形の紐体３１軌跡が形成されたことになる。
この状態において、紐体３１の背基点ポイントＧＰは、着用者の背基点Ｏ´の位置、すなわち骨格の第７頚椎と第１胸椎の境中央部の位置と一致している。
【００３９】
（ｄ）次いで、首に吊下した紐体３１において、この背基点Ｏ´に位置した背基点ポイントＧＰから左側方（ここでは左半身パーツ１作成のため）に向かって仮の基準寸法の９ｃｍの離隔位置を着用者の体格における仮の左右肩後基点Ｍ、左右肩前基点Ｎと仮定する（当然に左右肩後基点Ｍと左右肩前基点Ｎは、互いに一致した一点として仮に定められている）。なお、仮の基準寸法の９ｃｍは、平均的な着用者の仮の寸法である。
従って、平均的な標準の着用者（反身、前屈身でない人）の場合は、この基準寸法９ｃｍの位置である仮の左右肩前後基点Ｎ，Ｍを正しい基点Ｎ，Ｍとして各種測定の基準とすることができるが、実際は着用者の体型の特殊性（反身、前屈身など）があるため、本実施例のような修正を行い、着用者の体型に合致した正しい左右肩前後基点Ｎ，Ｍを定めることになる。
【００４０】
そして、地上面（ＧＬ）から紐体３１の仮の左右肩後基点Ｍ及び仮の左右肩前基点Ｎまでの長さを高さ測定メジャー４０により測定するものであるが、地上面（ＧＬ）から左右肩後基点Ｍまでの長さαは、着用者の背中側（後側）において測定し、地上面（ＧＬ）から左右肩前基点Ｎまでの長さβは、着用者の胸面側（前側）において測定する。
【００４１】
ここで、着用者が前屈姿勢の体型（いわゆる猫背型）の場合は、ＧＬ〜Ｍ＞ＧＬ〜Ｎとなる。以下に述べるようにかかる着用者の体型に合致した正しい左右肩前後基点Ｎ，Ｍに修正する技術が本発明の実施例である。ＧＬ〜Ｍ＝α、ＧＬ〜Ｎ＝βとすれば、αとβの差は仮の標準寸法の９ｃｍで仮定した紐体３１の仮の左右肩後基点Ｍ、仮の左右肩前基点Ｎの位置修正の要因として用いられることになる。
【００４２】
（ｅ）そこで、着用者の左右肩後基点Ｍの仮位置を型紙Ｕ上で設定するために、段落番号〔００２５〕に記載の様に着用者の本来の背中心線１０１´の背基点Ｏ´から胸囲の長さの１／２Ｐを乗じた長さＬ１を算出し、その分だけ前方へ移動し、更に移動点ｍから移動長さの約１／４の長さＬ２だけ上方に垂直に移動し、その点を仮の左右肩後基点Ｍとする。
【００４３】
すなわち、着用者の胸囲の長さの１／２Ｐを測定することにより必然的に左右肩後基点Ｍの仮位置は仮型紙上で計算上特定されたことになり、これを基にして仮型紙上で背基点Ｏ´と左右肩後基点Ｍ間の湾曲線の首筋ラインＷＮの長さｒｃｍ（換言すれば、着用者の首に吊下した基点設定メジャー３０における基準ポイントＫＰから左側方向へ移動する正しい位置までの長さ）を算出する。計算上で生れたこの首筋ラインＷＮの長さｒｃｍの位置が着用者に対する実測による正しい左右肩後基点Ｍ及び左右肩前基点Ｎの位置である。
しかし、この位置は計算上のものでより具体的に着用者の体格のどの位置であるかを以下の方法で特定し、各種測定の基準点となる正しい基点Ｎ，Ｍを定めることになる。
【００４４】
ここで重要なことは、ループ状の紐体３１における仮の基準寸法９ｃｍの位置を紐体３１の仮の左肩前後基点Ｎ，Ｍとして、これを仮の型紙Ｕにおける仮の左肩前後基点Ｎ，Ｍの位置としたことである。
【００４５】
すなわち、仮の型紙Ｕにおいて、計算上の左肩後基点Ｍの位置は、段落番号００２５で説明したように、背基点Ｏ´から、実測した着用者の胸囲の長さの１／２Ｐに（０．１７７±０．００５）を乗じた長さＬ１だけ前方へ移動し、更に、移動点ｍから移動長さの約１／４の長さＬ２だけ上方に垂直に移動した点、あるいは、首周りから測定して特定した点として計算上仮決定している。この背基点Ｏ´と左肩後基点Ｍとの間を結んだ曲線を首筋ラインＷＮとした場合、この湾曲線の首筋ラインＷＮは、首に吊下した基点設定メジャー３０の紐体３１の襟ラインと一致した形状となるため、とりあえず、背基点Ｏ´から首筋ラインＷＮの仮の基準寸法９ｃｍの位置を着用者の左肩における仮の左肩後基点Ｍの位置とすることにした。すなわち、着用者の肩の現実上の基点と仮定しておくのである。
【００４６】
他方、型紙Ｕにおける首筋ラインＷＮの長さｒｃｍは、着用者の胸囲実測から上記の計算（段落番号〔００２５〕の計算）により導いた客観的な長さであり、従ってこの湾曲長さｒｃｍがループ状の紐体３１における背基点Ｏ´からの本来の正しい左肩後基点Ｍに至る長さであると言える。
【００４７】
しかし、当初の仮の左肩後基点Ｍは、紐体３１の仮の基準寸法９ｃｍの位置としているために着用者の本来の正しい左肩後基点Ｍの位置とはなっていない。
【００４８】
そこで、型紙Ｕ上で本来の正しい左肩後基点Ｍの位置を決定するために、紐体３１において標準点とした仮の基準点（基準寸法９ｃｍの位置）、すなわち仮の左肩後基点Ｍの位置で地上面（ＧＬ）から着用者の背中側と胸面側で長さを測定し、その差（αとβとの差）を求め、このαとβの差を仮の左肩前基点Ｍの位置修正に加味する。
【００４９】
すなわち、仮の基準寸法９ｃｍと首筋ラインＷＮの長さとの差（ＬＸ）、仮に首筋ラインＷＮの長さが８．５ｃｍであるとすると９ｃｍ−８．５ｃｍ＝０．５ｃｍを出す。
【００５０】
そしてこの０．５cmの差（ＬＸ）を紐体３１上の仮の左肩後基点Ｍの位置で測定したα,βの増減要因として用いる。
【００５１】
αは、背中側の測定値であるから屈身の着用者の場合は、αに０．５ｃｍのＬＸを加算し、βから０．５ｃｍのＬＸを減算し、その結果、（α−β）が本来の着用者の実寸を基にした左肩後基点Ｍ、左肩前基点Ｎの正しい位置となる。
【００５２】
従って、型紙Ｕでは、仮の左肩後基点Ｍの地上高（α）に修正を加えてその分だけ後身頃の上部が上方に伸長した形状或は体型により下方に短縮した形状となり、これと同様に仮の左肩前基点Ｎの地上高（α）に修正を加えて、修正分だけ前身頃イの上部が上下方に伸縮した形状となる。そこではじめて、正しい左肩前後基点Ｎ，Ｍが特定されたことになる。
【００５３】
正しい左肩後基点Ｍが特定されれば、左肩前基点Ｎの位置特定は段落番号〔００２４〕に説明したように、前身頃前端縁部４から袖孔部３の前端縁の脇幅点Ｄに至る長さＬ３（Ｆ〜Ｄ）の（０．５６±０．０５）位の位置の垂直点ｇの垂直線Ｇと、すでに一特定が行われた左肩後基点Ｍからの絶対水平線ｖとの交点によって特定される。
【００５４】
（４）正しい左肩前後基点Ｎ，Ｍの他の特定方法
以上、実測による数値を基にした左肩前後基点Ｎ，Ｍの正しい位置決定の手順を説明したが、簡略化した他の方法もある。
すなわち、段落番号〔００２５〕で説明したように型紙Ｕにおいて、胸囲の実測により左肩後基点Ｍの仮位置が特定されているので、背基点Ｏ´と左肩後基点Ｍとを結ぶ湾曲の首筋ラインＷＮの長さｒｃｍも特定される。首筋ラインＷＮの長さｒｃｍを客観的に決定したら、次いで基点設定メジャー３０を首に吊下し、基準ポイントＫＰから左側の首筋ラインＷＮの長さｒｃｍの位置をとれば、これが必然的に着用者の身体における簡易決定による左肩後基点Ｍ（Ｎ）の位置となる。
【００５５】
この正しい左肩後基点Ｍの位置を型紙Ｕに反映するためには、高さ測定メジャー４０により、地上面（ＧＬ）からの背中側及び胸面側の長さを計測して、α,βを出す。
次いで、図１に示すように型紙Ｕにおいては、背基点Ｏ´からの湾曲状の首筋ラインＷＮの縮尺長さの軌跡ｔ１と、地上面（ＧＬ）から左肩後基点Ｍまでの実測の縮尺長さの軌跡ｔ２との交点を型紙Ｕにおける左肩後基点Ｍの正しい位置とする。
【００５６】
この簡略化した手順は、着用者の背基点Ｏ´の位置を客観的に決定することができることから、これに発明者の長年の仕立て実績による左肩後基点Ｍの位置算出方法（段落番号〔００２５〕参照）により仮の左肩後基点Ｍを決定し、これに更に基点設定メジャー３０によって測定したα，βの数値に、着用者の本来の身体上における正しい左肩後基点Ｍの位置情報を加味して、胸囲から算出して型紙Ｕ上に表示した計算上の仮の左肩後基点Ｍの位置を修正し、型紙Ｕ上に正しい左肩後基点Ｍを特定するものである。
【００５７】
（５）以上述べたのは、左半分の前身頃イと後身頃ロに関する正しい左肩前後基点Ｎ，Ｍの位置決定手順に関するものであるが、同様にして右半分の前身頃イと後身頃ロに関しても右肩前後基点Ｎ，Ｍの正しい位置決定を行うことができる。
このように客観的な背基点Ｏ´位置を中心に左右肩前後基点Ｎ，Ｍの位置を算出してそれを基準にして最も着用者にフィットして動きやすい型紙Ｕとすることができる。
【００５８】
背広全体としてみると、左右肩前後基点Ｎ，Ｍ；Ｎ，Ｍが反身、屈身、いかり肩、なで肩等各種の体型に合致した最適位置に決定されるために左右両肩部分が背基点Ｏ´を中心に左右釣り合った「やじろべえ」（スイング態様）のバランスをとることができ、外観的な見た目も、また着用者の活動に関してもスマートで無理のない背広を提供することができる。
【００５９】
（６）バストラインＢ、ウエストラインＷ，ヒップラインＨ、裾ラインＪについて
左半身パーツ１は、上端縁から一定の距離にバストラインＢ、ウエストラインＷ、ヒップラインＨ及び裾ラインＪを形成している。
【００６０】
バストラインＢは、着用者の本来の背中心線１０１´の背基点Ｏ´から、胸囲の長さの１／２Ｐに約０．４５を乗じた長さだけ下方に位置したバスト点Ｃからの横線にゆとりとして示している（Ｏ´〜Ｃ＝Ｐ×０．４５）。
ここで胸囲の長さの１／２Ｐは、実際の測定した胸囲の１／２Ｐ´に（６ｃｍ±２）ｃｍを加算した数値である（Ｐ＝Ｐ´ｃｍ±（６ｃｍ±２））。
なお、Ｏ´〜Ｃの縦長さを背丈Ｋとする。
【００６１】
実際には、Ｏ´〜Ｃの背丈Ｋの線に横幅のゆとりｙ１を設けるため、胸囲の長さの１／２Ｐに約０．１５と約０．１を乗じた地点に背基点Ｏ´を背中心線１０１から拡幅している（Ｏ〜Ｏ´＝Ｐ×０．１５×０．１）。
【００６２】
同様にバストラインＢのバスト点Ｃからも２ｃｍのゆとりｙ２を形成している。
バストラインＢのバスト点Ｃからゆとりｙ１をとったＣ´（バストゆとり点）から、胸囲の長さの１／２Ｐに約０．３８を乗じた長さの地点、すなわち袖孔部３の後端縁に至る点を背幅点Ｅとする（Ｃ´〜Ｅ＝Ｐ×約０．３８）。
【００６３】
なお、Ｃ´〜Ｅの横幅を背幅部ｂ１とする。
バストラインＢにおける袖孔部３の後端縁位置の背幅点Ｅから胸囲の長さの１／２Ｐに約０．２５を乗じた長さの点、すなわち袖孔部３の前端縁に至る点を脇幅点Ｄとし、Ｄ〜Ｅの横幅を脇幅部ｂ２とする。
【００６４】
なお、Ｅ〜Ｄには、前身頃と後身頃との接合部分の縫い代ｙ４の幅員（５ｍｍ）及び前身頃の袖孔部３下方の脇ダーツｙ３の幅員（１５ｍｍ）を含む（Ｅ〜Ｄ＝Ｐ×０．２５＋２０ｍｍ）。
【００６５】
背上着本体１００の前身頃イの前端縁のボタン位置をボタン点Ｆとし、胸囲の長さの１／２Ｐに約０．３７を乗じた長さがＤ〜Ｆの横幅となり、これを胸幅部ｂ３とする（Ｄ〜Ｆ＝Ｐ×約０．３７）。
バストラインＢにおいて、Ｄ〜Ｆの中間でＤ〜Ｆの長さに約０．５６を乗じた長さの点を垂直点ｇとし、垂直点ｇの垂直線Ｇ上端が左肩前基点Ｎとなる。
【００６６】
ウエストラインＷは、バストラインＢとヒップラインＨとの中間点、すなわち、（Ｂ〜Ｈ）×１／２のウエスト点Ｉの横線である。ヒップラインＨは、着丈、すなわち背基点Ｏ´から裾ラインＪまでの長さに約０．１８４を乗じた長さのヒップＱ点における横線である。
【００６７】
なお、図中、ｙ５は、衿下方のゆとりを示す前ダーツである。
また、Ｒは、胸ポケットを示す。
５´は、衿部５の上端部に連設して縫合した首衿部であり、前後肩稜線６，７以外の背幅部ｂ１の上端部（５"）に連設縫合される。
【００６８】
また、裾ラインＪは、前身頃の裾ラインＪ１を約１．５ｃｍ前下りとし、着用時に裾ラインＪが全体的に水平に見えて背広全体の見栄えを良好とする。
左右半身パーツ１，２を縫合して背広原型Ｘを製作する場合、好みで着用者の体形にピッタリとフィットするように構成するか、ゆったりと構成するかは、胸囲の長さＰの数値で調整する。
【００６９】
すなわち、上記実施例では、Ｐ＝Ｐ´＋（６±２）として説明したが、（Ｐ＝Ｐ´＋４）から（Ｐ＝Ｐ´＋９）の範囲で調整することができ、Ｐがこのように調整されると、Ｐに関係するＯ〜Ｃ、Ｏ〜Ｏ´、Ｃ´〜Ｅ、Ｅ〜Ｄ、Ｄ〜Ｆ、Ｍ、Ｎの数値や位置が変化していく。
【００７０】
以上、詳説したのは左半身パーツ１の各ラインに関するものであるが、右半身パーツ２についても全く同様であり、略左右対称に形成される（図２参照）。
【００７１】
（７）寸法表
実際に左半身パーツ１を作成するためにはまず、着用者の体型の寸法の測定から開始する。
図７に示すのは、測定寸法の記入用の寸法表１０であり、次のような欄が設けられている。すなわち、
測定日時欄１１、着用者の名前欄１２、反身か屈身かの区別とその寸法を記載する体型欄１３、
左右肩前基点Ｎからの肩の傾斜角度を記入する欄１４、左右肩後基点Ｍからの肩の傾斜角度を記入する欄１５、
左右肩前基点Ｎからの傾斜角度と左右肩後基点Ｍからの傾斜角度との和に１／２を乗じた平均角度を記入する欄１６、
左右肩前基点Ｎを特定するために（Ｆ〜Ｄ）の長さＬと（０．５６±０．０５）を乗じた数字を記入するＮ点寸法欄１７、
左右肩後基点Ｍを特定するために胸囲の長さＰの１／２に（０．１７７±０．００５）を乗じた数字Ｌ１およびＬ１に１／４を乗じた数字Ｌ２を記入するためのＭ点寸法欄１８、
背基点Ｏ´から胸囲の長さの１／２Ｐに０．４５を乗じた長さだけ下方に位置したＣまでの長さを記入する背丈寸法欄１９、
実際の胸囲Ｐ´にゆとりとしての余裕寸法を加算した数値を記入する胸囲寸法欄２０、
実際に測定したバストラインＢにおける胸幅部ｂ３の寸法を記入する胸幅欄２１、
バストラインＢにおける脇幅部ｂ２の寸法を記入する脇幅欄２２、
バストラインＢにおける背幅部ｂ１の寸法を記入する背幅欄２３、
ウエストラインＷにおける寸法を記入するウエスト寸法欄２４、
ウエストラインＷにおける前身頃イの幅寸法を記入するウエスト前幅欄２５、
ウエストラインＷにおける後身頃ロの幅寸法を記入するウエスト後幅欄２６、
実際に測定したヒップラインＨにおける寸法を記入するヒップ前幅欄２７、
ヒップラインＨにおける前身頃イの幅を記入するヒップ前幅欄２８、
ヒップラインＨにおける後身頃ロの幅を記入するヒップ後幅欄２９
等の各欄が寸法表１０に設けられている。
（８）以上説明したようにして最初に仮に設定した仮の基点Ｎ，Ｍは、着用者の体型に合わせて位置修正がなされて正しい着用者体型に合致した位置に変更されるのであり、この位置修正により正しい基点Ｎ，Ｍが型紙作成のための採寸（肩の傾斜角度や肩稜線の長さなど）の基準点となり、このようにして作成した型紙により背広を作ると着用者の種々の異なった体型にフィットした背広を提供することができる。
【符号の説明】
【００７２】
１００  上着本体
１０１  背中心線
１０１´  本来の背中心線
１  左半身パーツ
２  右半身パーツ
３  袖孔部
３５  切欠前端部
３６  切欠後端部
４  前身頃前端縁部
５  衿部
６  前肩稜線
７  後肩稜線
１０  寸法表
Ｕ  型紙
ｂ１  背幅部
ｂ２  脇幅部
ｂ３  胸幅部
Ｎ，Ｎ  左右肩前基点
Ｍ，Ｍ  左右肩後基点
Ｐ  胸囲の長さの１／２
Ｏ  背上端
Ｏ´  背基点
Ａ  背広原型
ｍ  移動点
ｇ  垂直点
ｒ  湾曲長さ
ＧＬ  地上面
θ  前傾斜角度
θ´  後傾斜角度
ｖ  絶対水平線
Ｓ  切欠
３０  基点設定メジャー
３１  ループ状紐体
３２  重錘
ＫＰ  基準ポイント
３３  表示目盛
ＧＰ  背基点ポイント
４０  高さ測定メジャー
４１  長尺紐体
４２  高さ用重錘
４３  表示目盛
ＷＮ  首筋ライン
α  地上面ＧＬから左右肩後基点Ｍまでの長さ
β  地上面ＧＬから左右肩前基点Ｎまでの長さ
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
上着本体を背中部分の背中心線より左右に分けて形成した左半身パーツ及び右半身パーツと、左右半身パーツの中央上部に上方を一部切欠して形成した楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、人体骨格における第７頸椎と第１頸椎の境の中央部分の点である、着用者の本来の背中心線上端とすべき背基点から、首周りの長さに（１０〜１５）を加算し、その合計を（５〜７）で除する修正公式あるいは胸囲の長さに１／２×（０．１７７±０．００５）を乗じる修正公式を適用して算出した長さだけ前方へ移動し、更に移動した点から移動長さの１／４の長さだけ上方に垂直に移動して特定した点を仮の左右肩後基点とし、前身頃前端縁から袖孔部の前端縁に至る長さの０．５〜０．６倍の位置の垂直線と、左右肩後基点からの絶対水平線との交点によって特定した点を仮の左右肩前基点とし、「後身頃の背中の背基点と左右肩前後基点との間の湾曲状の首筋ラインの長さ」と「背基点から着用者の首から胸元にかけて吊下したループ状の紐体における平均的な着用者の仮の基準寸法である仮の基準点までの長さ」との差を、着用者の首に吊下した首筋ラインとなるループ状の紐体における仮の基準点から着用者の身体の背側を通る地上面までの長さ及び胸側を通る地上面までの長さのそれぞれに対して着用者の体型の特殊性に応じてその一方に対しては加算し、他方に対しては減算するような修正をすることにより、正しい左右肩前後基点の位置を修正特定し、左右肩前基点から一定の傾斜角度をもって袖孔の切欠前端部と結んだ線を左右の前肩稜線とし、修正した正しい左右肩後基点から一定の傾斜角度をもって袖孔の切欠後端部と結んだ線を左右の後肩稜線とし、前肩稜線と後肩稜線とを接合縫製することにより構成したことを特徴とする背広原型。
【手続補正２】
【補正対象書類名】明細書
【補正対象項目名】００１３
【補正方法】変更
【補正の内容】
【００１３】
この発明は、上着本体を背中部分の背中心線より左右に分けて形成した左半身パーツ及び右半身パーツと、左右半身パーツの中央上部に上方を一部切欠して形成した楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、人体骨格における第７頸椎と第１頸椎の境の中央部分の点である、着用者の本来の背中心線上端とすべき背基点から、首周りの長さに（１０〜１５）を加算し、その合計を（５〜７）で除する修正公式あるいは胸囲の長さに１／２×（０．１７７±０．００５）を乗じる修正公式を適用して算出した長さだけ前方へ移動し、更に移動した点から移動長さの１／４の長さだけ上方に垂直に移動して特定した点を仮の左右肩後基点とし、前身頃前端縁から袖孔部の前端縁に至る長さの０．５〜０．６倍の位置の垂直線と、左右肩後基点からの絶対水平線との交点によって特定した点を仮の左右肩前基点とし、「後身頃の背中の背基点と左右肩前後基点との間の湾曲状の首筋ラインの長さ」と「背基点から着用者の首から胸元にかけて吊下したループ状の紐体における平均的な着用者の仮の基準寸法である仮の基準点までの長さ」との差を、着用者の首に吊下した首筋ラインとなるループ状の紐体における仮の基準点から着用者の身体の背側を通る地上面までの長さ及び胸側を通る地上面までの長さのそれぞれに対して着用者の体型の特殊性に応じてその一方に対しては加算し、他方に対しては減算するような修正をすることにより、正しい左右肩前後基点の位置を修正特定し、左右肩前基点から一定の傾斜角度をもって袖孔の切欠前端部と結んだ線を左右の前肩稜線とし、修正した正しい左右肩後基点から一定の傾斜角度をもって袖孔の切欠後端部と結んだ線を左右の後肩稜線とし、前肩稜線と後肩稜線とを接合縫製することにより構成したことを特徴とする背広原型を提供するものである。
【手続補正３】
【補正対象書類名】明細書
【補正対象項目名】００１８
【補正方法】変更
【補正の内容】
【００１８】
上着本体を背中部分の背中心線より左右に分けて形成した左半身パーツ及び右半身パーツと、左右半身パーツの中央上部に上方を一部切欠して形成した楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、
人体骨格における第７頸椎と第１頸椎の境の中央部分の点である、着用者の本来の背中心線上端とすべき背基点から、首周りの長さに（１０〜１５）を加算し、その合計を（５〜７）で除する修正公式あるいは胸囲の長さに１／２×（０．１７７±０．００５）を乗じる修正公式を適用して算出した長さだけ前方へ移動し、更に移動した点から移動長さの１／４の長さだけ上方に垂直に移動して特定した点を仮の左右肩後基点とし、
前身頃前端縁から袖孔部の前端縁に至る長さの０．５〜０．６倍の位置の垂直線と、左右肩後基点からの絶対水平線との交点によって特定した点を仮の左右肩前基点とし、
「後身頃の背中の背基点と左右肩前後基点との間の湾曲状の首筋ラインの長さ」と「背基点から着用者の首から胸元にかけて吊下したループ状の紐体における平均的な着用者の仮の基準寸法たる仮の基準点までの長さ」との差を、着用者の首に吊下した首筋ラインとなるループ状の紐体における仮の基準点から着用者の身体の背側を通る地上面までの長さ及び胸側を通る地上面までの長さのそれぞれに対して着用者の体型の特殊性に応じてその一方に対しては加算し、他方に対しては減算するような修正をすることにより、正しい左右肩前後基点の位置を修正特定し、左右肩前基点から一定の傾斜角度をもって袖孔の切欠前端部と結んだ線を左右の前肩稜線とし、修正した左右肩後基点から一定の傾斜角度をもって袖孔の切欠後端部と結んだ線を左右の後肩稜線とし、
前肩稜線と後肩稜線とを接合縫製することにより構成したことを特徴とする背広原型とすることにより背広原型Ａを制作し、その後に必要な各種パーツや裏生地などを付加して上着本体１００製作を完了するものである。
【国際調査報告】
2013190686.tif 000014
2013190686.tif 000015